(57)【特許請求の範囲】
【請求項１】
被記録媒体を支持する支持部を筐体から突出させて印刷する印刷機能を備え、
前記印刷機能に基づく印刷が可能な作動状態と、前記印刷機能に基づく印刷が不可能な不作動状態とを有する画像形成システムであって、
印刷データを記憶する印刷データ記憶部と、
ユーザの操作に従って前記印刷機能に基づく印刷動作の実行を指示する印刷指示部と、
ユーザの操作に従って前記印刷指示部により印刷動作の実行が指示された場合に、前記印刷機能に基づく印刷を準備する準備動作の実行許可を受け付ける実行許可受付手段と、
前記実行許可受付手段により受け付けられた準備動作の実行許可に基づいて、前記準備動作を実行する実行手段と、
前記実行手段により実行された準備動作に基づいて前記作動状態であるか否かを判断する判断手段と、
前記判断手段により前記作動状態であると判断されたことを条件として、前記印刷データ記憶部に記憶された印刷データを取得する取得手段と、
前記取得手段により取得された印刷データに従う印刷を実行する印刷手段と、
を備えることを特徴とする画像形成システム。
【請求項２】
前記印刷機能は、印刷可能なレーベル面を有する光ディスク媒体の当該レーベル面に対して印刷する機能であり、
前記支持部は、前記光ディスク媒体を支持し、
前記印刷機能に基づく印刷において、前記光ディスク媒体を支持する支持部が搬送される搬送路と、
前記搬送路上に定められた搬送開始位置と、前記支持部が前記筐体から突出する所定位置との間で、前記支持部を前記搬送路に沿って搬送する搬送手段と、
を備え、
前記実行手段は、前記支持部が前記搬送開始位置から前記所定位置まで搬送されるように前記搬送手段を制御することを特徴とする請求項１に記載の画像形成システム。
【請求項３】
前記支持部が前記搬送開始位置から前記所定位置に向かって搬送されるときに、前記支持部または前記支持部に支持された前記光ディスク媒体の被検知部分を検知する検知手段を備え、
前記判断手段は、前記検知手段による前記被検知部分の検知に基づいて、前記支持部が前記所定位置に位置するか否かを判断する位置判断手段を含み、
前記判断手段は、前記位置判断手段により前記支持部が前記所定位置に位置すると判断された場合に、前記作動状態であると判断することを特徴とする請求項２に記載の画像形成システム。
【請求項４】
各種情報を表示する表示部と、
前記印刷指示部におけるユーザの操作を含むユーザによる準備作業を案内する案内情報を前記表示部に表示する表示手段と、
を備えることを特徴とする請求項１〜３のいずれかに記載の画像形成システム。
【請求項５】
前記画像形成システムは、情報処理装置と、当該情報処理装置と通信可能な画像形成装置とから構成され、
前記情報処理装置は、
前記印刷データ記憶部と、
前記印刷機能に基づく印刷の指示を前記画像形成装置に送信する印刷指示送信手段と、
前記案内情報を前記表示部に表示させる表示指示を前記画像形成装置に送信する表示指示送信手段と、を備え、
前記画像形成装置は、
前記表示部と、
前記印刷指示部と、
前記印刷機能に基づく印刷の指示を前記情報処理装置から受信する印刷指示受信手段と、
前記表示指示を前記情報処理装置から受信する表示指示受信手段と、
前記表示手段と、
前記実行許可受付手段と、
前記実行手段と、
前記判断手段と、
前記判断手段により前記作動状態であると判断された場合、印刷を許可する印刷許可を前記情報処理装置へ送信する印刷許可出力手段と、
前記取得手段と、
前記印刷手段と、
を備え、
前記情報処理装置は、
前記印刷許可を前記画像形成装置から受信する印刷許可受信手段と、
前記印刷許可受信手段により前記印刷許可を受信した場合に、前記印刷データ記憶部に記憶された印刷データを前記画像形成装置に送信する印刷データ送信手段と、を更に備えており、
前記表示手段は、前記表示指示受信手段により受信した表示指示に基づいて前記案内情報を前記表示部に表示し、
前記取得手段は、前記印刷データ送信手段により送信された印刷データを取得し、
前記印刷手段は、前記取得手段により取得した印刷データに従う印刷を実行することを特徴とする請求項４に記載の画像形成システム。
【請求項６】
前記情報処理装置は、
前記画像形成装置が前記作動状態であるか否かを示す状態情報を要求する状態要求を前記画像形成装置に送信する状態要求送信手段と、
前記状態情報を前記画像処理装置から受信する状態受信手段と、
前記状態受信手段により受信した状態情報に従って、前記画像形成装置の現在の状態を認識する状態認識手段と、
を備え、
前記画像形成装置は、
前記判断手段による前記作動状態であるか否かの判断結果に従って、前記状態情報を生成する生成手段と、
前記生成手段により生成された状態情報を記憶する状態記憶部と、
前記状態要求を前記情報処理装置から受信する状態要求受信手段と、
前記状態要求受信手段により前記状態要求を受信した場合に、前記状態記憶部に記憶された状態情報を前記情報処理装置へ送信する状態送信手段と、
を備え、
前記表示指示送信手段は、前記状態認識手段により前記画像形成装置の現在の状態が前記作動状態でないと認識された場合、前記表示指示を前記画像形成装置に送信し、
前記印刷データ送信手段は、前記状態認識手段により前記画像形成装置の現在の状態が前記作動状態であると認識された場合、前記印刷データ記憶部に記憶された印刷データを前記画像形成装置に送信することを特徴とする請求項５に記載の画像形成システム。
【請求項７】
被記録媒体を支持する支持部を筐体から突出させて印刷する印刷機能を備え、
前記印刷機能に基づく印刷が可能な作動状態と、前記印刷機能に基づく印刷が不可能な不作動状態とを有し、情報処理装置と通信可能な画像形成装置であって、
前記印刷機能に基づく印刷の指示を前記情報処理装置から受信する印刷指示受信手段と、
ユーザの操作に従って前記印刷機能に基づく印刷動作の実行を指示する印刷指示部と、
ユーザの操作に従って前記印刷指示部により印刷動作の実行が指示された場合に、前記印刷機能に基づく印刷を準備する準備動作の実行許可を受け付ける実行許可受付手段と、
前記実行許可受付手段により受け付けられた準備動作の実行許可に基づいて、前記準備動作を実行する実行手段と、
前記実行手段により実行された準備動作に基づいて、前記画像形成装置が前記作動状態であるか否かを判断する判断手段と、
前記判断手段により前記作動状態であると判断された場合、印刷を許可する印刷許可を前記情報処理装置に送信する印刷許可出力手段と、
前記印刷許可出力手段により送信された印刷許可に基づいて前記情報処理装置の印刷データ記憶部に記憶された印刷データを取得する取得手段と、
前記取得手段により取得した印刷データに従う印刷を実行する印刷手段と、を備えることを特徴とする画像形成装置。
【発明の詳細な説明】
【技術分野】
【０００１】
本発明は、被記録媒体を支持する支持部を筐体から突出させて印刷する機能を有する画
像形成システム及び画像形成装置に関する。
【背景技術】
【０００２】
従来から、例えば、ＣＤ−Ｒ、ＤＶＤ−Ｒなどの光ディスク媒体のレーベル面に対して
印刷可能な画像形成装置が知られている（例えば、特許文献１）。
【０００３】
このような装置では、ユーザによりＣＤ−Ｒがディスクトレイに装着され、画像形成装
置の前面に設けられた手差し口からディスクトレイが挿入された際、ディスクトレイ上の
基準マークを監視しながらディスクトレイが搬送される。そして、基準マークの位置に基
づいてＣＤ−Ｒに対する印刷の基準位置が補正され、ディスクトレイが手差し口側へ搬送
されながらレーベル面に対して印刷が行われる。
【０００４】
また、近年、画像形成装置の小型化が進んでおり、上記のような画像形成装置において
小型化の実現を考慮すると、ＣＤ−Ｒのレーベル面に対する印刷に必要なディスクトレイ
の搬送量に比べて、画像形成装置の筐体の奥行き方向の長さが短くなり、レーベル面への
印刷時にディスクトレイが筐体の背面から突出する場合が考えられる。係る場合、ＣＤ−
Ｒのレーベル面に対する印刷を正常に行うためには、筐体の背面に所定のスペースを確保
する必要がある。
【０００５】
このように画像形成装置の筐体から被記録媒体を支持する支持部を突出させて印刷する
場合は、光ディスク媒体のレーベル面への印刷以外にも生じ得る。例えば、画像形成装置
の奥行き方向に平行に設けられた略ストレートな搬送パス（以下、「ストレートパス」と
称す）を使用し、厚紙などの厚みが厚く、曲げ剛性の高いシート状の被記録媒体に対して
印刷を行う場合が考えられる。係る場合、画像形成装置の手差し給紙口から被記録媒体が
挿入されると、筐体の奥行き方向に対して手差し給紙口と対向する側に設けられたストレ
ートパスの排紙口までストレートパスに沿って搬送されながら印刷が行われる。そして、
印刷された被記録媒体がストレートパスの排紙口から筐体外へ排出される。一般に、スト
レートパスを有する画像形成装置は、ストレートパスの排紙口がカバーなどで覆われてお
り、カバーを開いた状態において、そのカバーが排紙トレイの役割を担うように構成され
ているものが多い。ストレートパスを使用して印刷を行う際には、ユーザが、排紙口周辺
に所定のスペースを確保し、排紙口を覆うカバーを開けて筐体外へカバーを突出させると
いう操作を行う必要がある。
【０００６】
ところで、特許文献２には、給紙カセットに装填された記録紙または手差し給紙口から
挿入された記録紙に対して印刷可能な印刷装置及びその印刷装置を制御可能な情報処理装
置が開示されている。この印刷装置では、情報処理装置からの印刷出力指示を受け付けた
際、その印刷出力指示により手差し給紙口による給紙方法が指定された場合に、情報処理
装置の表示部に「手差し給紙口に記録紙をセットし、［Ｐａｐｅｒ］を押下して下さい。
」と表示させる。そして、ユーザによりＰａｐｅｒキーが押下されると、Ｐａｐｅｒキー
が押下された旨が印刷装置から情報処理装置に通知され、情報処理装置がその通知を受信
すると、１頁分の圧縮イメージデータが情報処理装置から印刷装置に転送される。
【先行技術文献】
【特許文献】
【０００７】
【特許文献１】特開２０１０−１７９９５号公報
【特許文献２】特開２００７−１８５０２号公報
【発明の概要】
【発明が解決しようとする課題】
【０００８】
しかしながら、特許文献２に記載の印刷装置を上記の画像形成装置に応用すると、情報
処理装置から印刷出力指示を受け付けた際、ユーザが画像形成装置の筐体の背面に所定の
スペースを確保せず、または、排紙口周辺に所定のスペースを確保したが、ストレートパ
スの排紙口を覆うカバーを開ける操作を行わずに、Ｐａｐｅｒキーのような情報処理装置
に印刷データの転送を要求する所定の操作ボタンを押下した場合には、被記録媒体の搬送
が正常に行われないため、印刷位置のずれや紙ジャムなどが発生し、被記録媒体が無駄に
なってしまうという問題が生じる。
【０００９】
本発明は、上述した問題点を解決するためになされたものであり、被記録媒体を支持す
る支持部を筐体から突出させて印刷する機能を有し、当該支持部を筐体から突出させて印
刷する機能に基づいて印刷を実行する際において、その機能に基づく印刷の失敗による被
記録媒体の無駄を低減することが可能な画像形成システム及び画像形成装置を提供するこ
とを目的とする。
【課題を解決するための手段】
【００１０】
前記目的を達成するために、請求項１に記載の画像形成システムは、被記録媒体を支持
する支持部を筐体から突出させて印刷する印刷機能を備え、前記印刷機能に基づく印刷が
可能な作動状態と、前記印刷機能に基づく印刷が不可能な不作動状態とを有する画像形成
システムであって、印刷データを記憶する印刷データ記憶部と、ユーザの操作に従って前
記印刷機能に基づく印刷動作の実行を指示する印刷指示部と、ユーザの操作に従って前記
印刷指示部により印刷動作の実行が指示された場合に、前記印刷機能に基づく印刷を準備
する準備動作の実行許可を受け付ける実行許可受付手段と、前記実行許可受付手段により
受け付けられた準備動作の実行許可に基づいて、前記準備動作を実行する実行手段と、前
記実行手段により実行された準備動作に基づいて前記作動状態であるか否かを判断する判
断手段と、前記判断手段により前記作動状態であると判断された場合、印刷を許可する印
刷許可を出力する印刷許可出力手段と、前記印刷許可出力手段により出力された印刷許可
に基づいて、前記印刷データ記憶部に記憶された印刷データに従う印刷を実行する印刷手
段と、を備えることを特徴とする。
【００１１】
ここで、ユーザの操作とは、印刷機能に基づく印刷を指示するためにユーザにより行わ
れる操作であり、例えば、ハードキーまたはタッチパネル上の入力ボタンの押下、支持部
の装着などに相当する。
【００１２】
請求項２の発明は、請求項１に記載の画像形成システムにおいて、前記印刷機能は、印
刷可能なレーベル面を有する光ディスク媒体の当該レーベル面に対して印刷する機能であ
り、前記支持部は、前記光ディスク媒体を支持し、前記印刷機能に基づく印刷において、
前記光ディスク媒体を支持する支持部が搬送される搬送路と、前記搬送路上に定められた
搬送開始位置と、前記支持部が前記筐体から突出する所定位置との間で、前記支持部を前
記搬送路に沿って搬送する搬送手段と、を備え、前記実行手段は、前記支持部が前記搬送
開始位置から前記所定位置まで搬送されるように前記搬送手段を制御することを特徴とす
る。
【００１３】
請求項３に記載の発明は、請求項２に記載の画像形成システムにおいて、前記支持部が
前記搬送開始位置から前記所定位置に向かって搬送されるときに、前記支持部または前記
支持部に支持された前記光ディスク媒体の被検知部分を検知する検知手段を備え、前記判
断手段は、前記検知手段による前記被検知部分の検知に基づいて、前記支持部が前記所定
位置に位置するか否かを判断する位置判断手段を含み、前記判断手段は、前記位置判断手
段により前記支持部が前記所定位置に位置すると判断された場合に、前記作動状態である
と判断することを特徴とする。
【００１４】
請求項４に記載の発明は、請求項１〜３のいずれかに記載の画像形成システムにおいて
、各種情報を表示する表示部と、前記印刷指示部におけるユーザの操作を含むユーザによ
る準備作業を案内する案内情報を前記表示部に表示する表示手段と、を備えることを特徴
とする。
【００１５】
請求項５に記載の発明は、請求項４に記載の画像形成システムにおいて、前記画像形成
システムは、情報処理装置と、当該情報処理装置と通信可能な画像形成装置とから構成さ
れ、前記情報処理装置は、前記印刷データ記憶部と、前記印刷機能に基づく印刷の指示を
前記画像形成装置に送信する印刷指示送信手段と、前記案内情報を前記表示部に表示させ
る表示指示を前記画像形成装置に送信する表示指示送信手段と、前記印刷許可を前記画像
形成装置から受信する印刷許可受信手段と、前記印刷許可受信手段により前記印刷許可を
受信した場合に、前記印刷データ記憶部に記憶された印刷データを前記画像形成装置に送
信する印刷データ送信手段と、を備え、前記画像形成装置は、前記表示部と、前記印刷指
示部と、前記印刷機能に基づく印刷の指示を前記情報処理装置から受信する印刷指示受信
手段と、前記表示指示を前記情報処理装置から受信する表示指示受信手段と、前記表示手
段と、前記実行許可受付手段と、前記実行手段と、前記判断手段と、前記印刷許可出力手
段と、前記印刷データを前記情報処理装置から受信する印刷データ受信手段と、前記印刷
手段と、を備え、前記表示手段は、前記表示指示受信手段により受信した表示指示に基づ
いて前記案内情報を前記表示部に表示し、前記印刷許可出力手段は、前記判断手段により
前記作動状態であると判断された場合、前記印刷許可を前記情報処理装置に送信し、前記
印刷手段は、前記印刷データ受信手段により受信した印刷データに従う印刷を実行するこ
とを特徴とする。
【００１６】
請求項６に記載の発明は、請求項５に記載の画像形成システムにおいて、前記情報処理
装置は、前記画像形成装置が前記作動状態であるか否かを示す状態情報を要求する状態要
求を前記画像形成装置に送信する状態要求送信手段と、前記状態情報を前記画像処理装置
から受信する状態受信手段と、前記状態受信手段により受信した状態情報に従って、前記
画像形成装置の現在の状態を認識する状態認識手段と、を備え、前記画像形成装置は、前
記判断手段による前記作動状態であるか否かの判断結果に従って、前記状態情報を生成す
る生成手段と、前記生成手段により生成された状態情報を記憶する状態記憶部と、前記状
態要求を前記情報処理装置から受信する状態要求受信手段と、前記状態要求受信手段によ
り前記状態要求を受信した場合に、前記状態記憶部に記憶された状態情報を前記情報処理
装置へ送信する状態送信手段と、を備え、前記表示指示送信手段は、前記状態認識手段に
より前記画像形成装置の現在の状態が前記作動状態でないと認識された場合、前記表示指
示を前記画像形成装置に送信し、前記印刷データ送信手段は、前記状態認識手段により前
記画像形成装置の現在の状態が前記作動状態であると認識された場合、前記印刷データ記
憶部に記憶された印刷データを前記画像形成装置に送信することを特徴とする。
【００１７】
請求項７に記載の画像形成装置は、被記録媒体を支持する支持部を筐体から突出させて
印刷する印刷機能を備え、前記印刷機能に基づく印刷が可能な作動状態と、前記印刷機能
に基づく印刷が不可能な不作動状態とを有し、情報処理装置と通信可能な画像形成装置で
あって、前記印刷機能に基づく印刷の指示を前記情報処理装置から受信する印刷指示受信
手段と、ユーザの操作に従って前記印刷機能に基づく印刷動作の実行を指示する印刷指示
部と、ユーザの操作に従って前記印刷指示部により印刷動作の実行が指示された場合に、
前記印刷機能に基づく印刷を準備する準備動作の実行許可を受け付ける実行許可受付手段
と、前記実行許可受付手段により受け付けられた準備動作の実行許可に基づいて、前記準
備動作を実行する実行手段と、前記実行手段により実行された準備動作に基づいて、前記
画像形成装置が前記作動状態であるか否かを判断する判断手段と、前記判断手段により前
記作動状態であると判断された場合、印刷を許可する印刷許可を前記情報処理装置に送信
する印刷許可出力手段と、前記印刷許可出力手段により送信された印刷許可に基づいて前
記情報処理装置から印刷データを受信する印刷データ受信手段と、前記印刷データ受信手
段により受信した印刷データに従う印刷を実行する印刷手段と、を備えることを特徴とす
る。
【発明の効果】
【００１８】
請求項１に記載の発明によれば、被記録媒体を支持する支持部を筐体から突出させて印
刷する印刷機能に基づく印刷を準備するための準備動作の実行許可が受け付けられる。そ
して、実行された準備動作により、印刷機能に基づく印刷が可能な作動状態であると判断
された場合、印刷を許可する印刷許可が出力され、印刷データ記憶部に記憶された印刷デ
ータに従う印刷が実行される。これにより、準備動作により作動状態であると判断された
場合に印刷が実行されるので、支持部を筐体から突出させて印刷する印刷機能に基づく印
刷の失敗による被記録媒体の無駄を低減することができる。
【００１９】
請求項２に記載の発明によれば、印刷機能に基づく印刷において、光ディスク媒体を支
持する支持部が搬送される搬送路上に定められた搬送開始位置から、支持部が筐体から突
出する所定位置まで支持部が搬送される動作により、印刷機能に基づく印刷が可能な作動
状態であるか否かが判断される。これにより、印刷機能に基づく印刷の失敗による被記録
媒体の無駄を確実に低減することができる。
【００２０】
請求項３に記載の発明によれば、支持部または光ディスク媒体の被検知部分の検知に基
づいて、支持部が所定位置に位置するか否かが判断され、支持部が所定位置に位置すると
判断された場合に作動状態であると判断される。これにより、印刷機能に基づく印刷が可
能な作動状態であるか否かを容易且つ確実に判断できるため、印刷機能に基づく印刷の失
敗による被記録媒体の無駄をより確実に低減することができる。
【００２１】
請求項４に記載の発明によれば、印刷指示部におけるユーザ操作を含むユーザによる準
備作業を案内する案内情報が表示され、その案内情報に従って印刷指示部におけるユーザ
操作が行われた場合に、準備動作の実行許可が受け付けられる。これにより、ユーザが表
示部に表示された準備作業を確認してから印刷指示部におけるユーザ操作により印刷機能
に基づく印刷指示を行うため、印刷機能に基づく印刷の失敗による被記録媒体の無駄をさ
らに確実に低減することができる。
【００２２】
請求項５に記載の発明によれば、実行許可に基づいて実行された準備動作により印刷機
能に基づく印刷が可能な作動状態であると判断された場合、印刷許可が情報処理装置に送
信される。情報処理装置が印刷許可を受信した場合に、印刷データ記憶部に記憶された印
刷データが画像形成装置に送信され、画像形成装置において情報処理装置から受信した印
刷データに従う印刷が実行される。これにより、準備動作の実行により作動状態であると
判断された場合に、情報処理装置からの印刷データが画像形成装置により受信されるので
、印刷機能に基づく印刷の失敗による
被記録媒体の無駄を低減することができる。
【００２３】
請求項６に記載の発明によれば、画像形成装置が作動状態であるか否かを示す状態情報
を要求する状態要求が情報処理装置から画像形成装置へ送信された場合に、画像形成装置
の状態記憶部に記憶された状態情報が情報処理装置へ送信される。そして、情報処理装置
により、受信した状態情報に基づいて画像形成装置が作動状態でないと判断された場合、
表示指示が画像形成装置に送信され、一方、画像形成装置が作動状態であると判断された
場合、印刷データが画像形成装置に送信される。これにより、例えば、印刷機能に基づく
印刷を複数部設定した場合における２部目以降の印刷など、予め画像形成装置が作動状態
であると判断されている際には、準備動作を実行して作動状態であるか否かを確認する処
理を実行することなく、印刷を実行することができる。したがって、印刷機能に基づく印
刷の失敗による被記録媒体の無駄を低減しつつ、効率的に印刷機能に基づく印刷を実行す
ることができる。
【００２４】
請求項７に記載の発明によれば、被記録媒体を支持する支持部を筐体から突出させて印
刷する印刷機能に基づく印刷を準備するための準備動作の実行許可が受け付けられる。そ
して、実行された準備動作により、印刷機能に基づく印刷が可能な作動状態であると判断
された場合、印刷を許可する印刷許可が情報処理装置に送信され、情報処理装置から受信
した印刷データに従う印刷が実行される。これにより、準備動作の実行許可に基づいて実
行された準備動作により作動状態であると判断された場合に印刷が実行されるので、支持
部を筐体から突出させて印刷する印刷機能に基づいて印刷を実行する際において、印刷機
能に基づく印刷の失敗による被記録媒体の無駄を低減することができる。
【図面の簡単な説明】
【００２５】
【図１】本実施形態に係るＭＦＰの外観的構成を示した斜視図である。
【図２】レーベル印刷機能実行時のＭＦＰの外観的構成を示した斜視図である。
【図３】ディスクトレイと装置背面との位置関係を模式的に示すＭＦＰの断面図である。
【図４】本実施形態に係る画像形成システムの電気的構成を示すブロック図である。
【図５】本実施形態のＭＦＰにおけるレーベル印刷処理を示すフローチャートである。
【図６】本実施形態のＰＣにおけるレーベル印刷処理を示すフローチャートである。
【図７】本実施形態のＭＦＰにおけるレーベルコピー処理を示すフローチャートである。
【発明を実施するための形態】
【００２６】
以下、本発明の実施形態について、添付図面を参照しつつ詳細に説明する。本実施形態
では、本発明の画像形成システムとして、多機能周辺装置（以下、「ＭＦＰ（Ｍｕｌｔｉ
Ｆｕｎｃｔｉｏｎ  Ｐｅｒｉｐｈｅｒａｌ）」と称す）１０（本発明の画像形成装置に
相当）と、ＭＦＰ１０と通信可能なパーソナルコンピュータ（以下、「ＰＣ」と称す）９
０（本発明の情報処理装置に相当）とにより構成された画像形成システム１を例に挙げて
説明する。ＭＦＰ１０は、プリンタ機能、スキャナ機能、及び、コピー機能などの各種機
能を有している。
【００２７】
＜外観的構成＞
本実施形態に係るＭＦＰ１０の外観的構成について、図１及び図２を参照して説明する
。以下の説明において、図１及び図２に示すＭＦＰ１０の手前側を前側とし、矢印左右で
示す方向を左右方向（主走査方向）とし、矢印前後で示す方向を前後方向（副走査方向）
とし、矢印上下で示す方向を上下方向とする。
【００２８】
本実施形態のＭＦＰ１０は、記録用紙Ｐの他に、例えば、Ｃｏｍｐａｃｔ  Ｄｉｓｋ（
以下、「ＣＤ」と称す）、Ｄｉｇｉｔａｌ  Ｖｅｒｓａｔｉｌｅ  Ｄｉｓｋ（以下、「Ｄ
ＶＤ」と称す）、及び、Ｂｌｕ−ｒａｙ  Ｄｉｓｋ（以下、「ＢＤ」と称す）などの光デ
ィスク媒体Ｄのレーベル面に画像を印刷するレーベル印刷機能（本発明の印刷機能に相当
）を有している。レーベル印刷機能については後述する。
【００２９】
図１に示すように、ＭＦＰ１０は、主に、下部に設けられるプリンタ部２０と、上部に
設けられるスキャナ部３０と、正面上部に設けられる操作部４０（本発明の印刷指示部に
相当）及び表示部５０とを備えている。
【００３０】
プリンタ部２０は、記録用紙Ｐに画像を印刷するインクジェット方式のプリンタで構成
されている。プリンタ部２０は、正面に開口部２１が形成されたケーシング２６（本発明
の筐体に相当）を有する。開口部２１には、給紙トレイ２２及び排紙トレイ２３が上下２
段に設けられている。給紙トレイ２２は、Ａ４サイズ等にカットされた記録用紙Ｐを積載
可能に構成されている。排紙トレイ２３は、給紙トレイ２２からプリンタ２０の内部へ給
送されて記録された記録用紙Ｐが排出されるように構成される。プリンタ部２０の内部構
成については後述する。
【００３１】
スキャナ部３０は、スキャナ機能及びコピー機能の実行時に原稿を読み取るものであり
、Ａ４サイズ、Ａ３サイズなどの複数種類のサイズの原稿の読み取りが可能となっている
。原稿カバー３１は、ＭＦＰ１０の天板として設けられている。その原稿カバー３１の下
側には、原稿を載置するための載置用ガラス板（非図示）が設けられている。載置用ガラ
ス板の下側には、載置用ガラス板上に載置されている原稿の画像を読み取る原稿読取セン
サ（非図示）が設けられている。
【００３２】
操作部４０は、数字ボタン、スタートボタン、レーベルコピー機能ボタン及びメディア
印刷機能ボタンを含む機能操作ボタンなどの各種ボタンを備えている。操作部４０には、
ＯＫボタン４１が備えられている。ＯＫボタン４１は、各種メッセージの確認または所定
の操作などの完了をＭＦＰ１０に通知するために、ユーザにより押下されるボタンである
。ＯＫボタン４１は、例えば、ユーザが、表示部５０に表示された各種メッセージを確認
した場合、または、各種メッセージに従って所定の操作を実行した場合に、ユーザにより
押下される。
【００３３】
表示部５０は、ＬＣＤなどにより構成されている。表示部５０は、ユーザが実行する機
能を指示するための機能選択画面、操作手順、及び、実行中の処理の状態などを表示する
。なお、本発明における表示部は、これに限定されるものではなく、例えば、タッチパネ
ル付き液晶ディスプレイなどであってもよい。係る場合、ＯＫボタン４１などの操作部４
０に設けられている各種ボタンは、タッチパネル付き液晶ディスプレイ上に表示されるも
のであってもよい。
【００３４】
次に、図３を参照して、プリンタ部２０の内部構成を詳細に説明する。搬送路２４は、
給紙トレイ２２の奥側（図３に示す後ろ方向）の上端部から上方且つＭＦＰ１０の前方へ
曲がって、ＭＦＰ１０の背面側（後方）から正面側（前方）へ延出される。そして、搬送
路２４は、駆動ローラ７３とピンチローラ７４とで構成される搬送ローラ対による挟持位
置と、駆動ローラ７５と拍車ローラ７６とで構成される排出ローラ対による挟持位置とを
通過して、排紙トレイ２３へ通じる。給紙トレイ２２から給紙された記録用紙Ｐは、搬送
路２４により下方から上方へＵターンするように案内され、後述する画像記録部２５に至
る。その記録用紙Ｐは、画像記録部２５により画像記録が行われた後、ＭＦＰ１０の正面
側（前方）へ搬送路２４に沿って搬送され、排紙トレイ２３に排出される。駆動ローラ７
３及び駆動ローラ７５は、図示しないモータにより駆動される。そのモータの駆動により
、記録用紙Ｐまたは後述するディスクトレイ７１が搬送路２４に沿って搬送される（本発
明の搬送手段に相当）。
【００３５】
以下、記録用紙Ｐまたは光ディスク媒体Ｄなどの被記録媒体が、装置正面側（前方）か
ら排紙ローラ対による挟持位置及び搬送ローラ対による挟持位置を通過して装置背面側（
後方）へ搬送される向きを第１搬送方向とし、第１搬送方向と逆向きを第２搬送方向とす
る。
【００３６】
画像記録部２５は、記録ヘッド６０を搭載して主走査方向（図３の紙面に垂直な方向）
へ往復移動するキャリッジ６１を備えている。記録ヘッド６０の下面には、シアン・マゼ
ンダ・イエロー・ブラックの各色インクに対応する複数のノズル（非図示）が、搬送方向
（前後方向）に沿って一列に整列して形成され、そのノズルの各列が主走査方向に並べら
れている。記録ヘッド６０は、ノズルから各インクを微小なインク滴として吐出する。キ
ャリッジ６１が主走査方向へ往復動することにより、記録ヘッド６０が記録用紙Ｐに対し
て走査され、搬送路２４に沿ってプラテン６３上を搬送される記録用紙Ｐに画像が記録さ
れる。
【００３７】
プラテン６３は、搬送路２４の下側に記録ヘッド６０と対向して配設されている。プラ
テン６３は、キャリッジ６１の往復移動範囲のうち、記録用紙Ｐなどの被記録媒体が通過
する中央部分に亘って配設されている。図３の紙面に垂直な方向におけるプラテン６３の
幅は、搬送可能な記録用紙Ｐ及び後述するディスクトレイ７１の幅より十分に大きいもの
であり、記録用紙Ｐ及びディスクトレイ７１の両側端は常にプラテン６３の上を通過する
。
【００３８】
メディアセンサ６５（本発明の検知手段に相当）が、キャリッジ６１の下面側における
最後端付近に設けられ、搬送路２４に搬送される被記録媒体を検知する。メディアセンサ
６５は、発光ダイオードなどからなる発光部（非図示）と、光学式センサなどからなる受
光部（非図示）とを具備する。メディアセンサ６５の発光部は下方へ向けて光を照射し、
ディスクトレイ７１、光ディスク媒体Ｄ、または、プラテン６３で反射した反射光が受光
部で受光される。
【００３９】
メディアセンサ６５は、キャリッジ６１と一緒にスライドされる。プラテン６３上に被
記録媒体が支持されている状態でキャリッジ６１がスライドされると、スライドの過程に
おいて、メディアセンサ６５は、プラテン６３の上面、ディスクトレイ７１の上面、また
は、被記録媒体の上面からの反射光を受光する。
【００４０】
プラテン６３の上面の色を黒色などの反射率の低い色にしておくことにより、被記録媒
体からの反射光による受光部の検出値と、プラテン６３からの反射光による受光部の検出
値とが異なる値となる。したがって、受光部の検出値に基づいて、検知された位置が被記
録媒体の上面であるかプラテン６３の上面であるかを識別することができる。受光部にお
ける検出値は、後述するＣＰＵ１１に送信される。
【００４１】
搬送ローラ対は、画像記録部２５より装置背面側（後方）に設けられており、駆動ロー
ラ７３と、駆動ローラ７３の下方に駆動ローラ７３に接するように設けられたピンチロー
ラ７４とが一体にユニット化されたものである。給紙トレイ２２から給紙された記録用紙
Ｐは、駆動ローラ７３及びピンチローラ７４により挟持され、駆動ローラ７３が正転駆動
されることによりプラテン６３上へ搬送される。
【００４２】
排出ローラ対は、画像記録部２５より装置正面側（前方）に設けられており、駆動ロー
ラ７５と、駆動ローラ７５の上方に駆動ローラ７５に接するように設けられた拍車ローラ
７６とが一体にユニット化されたものである。記録済みの記録用紙Ｐは、駆動ローラ７５
及び拍車ローラ７６により挟持され、駆動ローラ７５が正転駆動されることにより第２搬
送方向へ搬送される。また、後述するディスクトレイ７１は、駆動ローラ７５が逆転駆動
されることにより第１搬送方向へ搬送される。
【００４３】
ＭＦＰ１０は、上述したように、レーベル印刷機能を有している。本実施形態において
は、光ディスク媒体Ｄのレーベル面上に画像が印刷される場合、光ディスク媒体Ｄはディ
スクトレイ７１（本発明の支持部に相当）に載置されて、ディスクトレイ７１がＭＦＰ１
０の開口部２１から第１搬送方向に挿入される。排出ローラ対の第１搬送方向下流側には
、センサ６７が設けられ、このセンサ６７がディスクトレイ７１の挿入を検知する。なお
、センサ６７の位置は、排出ローラ対の第１搬送方向下流側に限定されることなく、ディ
スクトレイ７１の挿入を検知可能な位置であれば種々の態様を採ることができる。
【００４４】
ディスクトレイ７１は、樹脂などの剛性の高い物質で構成されている。ディスクトレイ
７１の上面には、円形状の凹みであって光ディスク媒体Ｄが載置されるディスク載置部（
非図示）が設けられている。
【００４５】
ディスクトレイ７１が第１搬送方向に、すなわち、開口部２１から搬送路２４の直線部
分（図３に示す前後方向に平行な部分）に向けて挿入されると、駆動ローラ７５が逆転駆
動され、ディスクトレイ７１が第１搬送方向に所定位置Ｓ２まで搬送される。
【００４６】
所定位置Ｓ２は、ディスクトレイ７１の第１搬送方向先端が、ケーシング２６、すなわ
ち、装置背面２８から距離Ｌ１分突出した位置である。そのため、ディスクトレイ７１を
搬送して光ディスク媒体Ｄのレーベル面に画像を印刷する場合、ＭＦＰ１０が設置される
部屋の壁Ｗから少なくとも距離Ｌ１分だけ、ＭＦＰ１０を離して設置する必要がある。
【００４７】
ディスクトレイ７１が所定位置Ｓ２まで搬送されると、駆動ローラ７５の駆動が一旦停
止された後、正転駆動に切り換えられる。これにより、ディスクトレイ７１が第２搬送方
向に搬送され、ディスクトレイ７１に載置された光ディスク媒体Ｄが第２搬送方向に搬送
されながらプラテン６３上を通る。プラテン６３上に搬送された光ディスク媒体Ｄに対し
て、記録ヘッド６０のノズルからインク滴が吐出され、光ディスク媒体Ｄのレーベル面上
に画像が印刷される。その後、ディスクトレイ７１が排紙トレイ２３側から排出される。
【００４８】
＜電気的構成＞
本実施形態に係る画像形成システム１の電気的構成について、図４を参照して説明する
。ＭＦＰ１０とＰＣ９０とは、ＬＡＮ（Ｌｏｃａｌ  Ａｒｅａ  Ｎｅｔｗｏｒｋ）４でデ
ータ送受信可能に接続されている。なお、ＭＦＰ１０とＰＣ９０との接続方法は、ＬＡＮ
４に限定されるものではなく、ＵＳＢ接続やパラレル接続であってもよい。
【００４９】
以下、各装置の構成を説明する。まず、ＭＦＰ１０について説明する。図４に示すよう
に、ＭＦＰ１０は、主に、ＣＰＵ１１と、ＲＯＭ１２と、ＲＡＭ１３と、フラッシュメモ
リ１４と、プリンタ部２０と、スキャナ部３０と、操作部４０と、表示部５０と、ネット
ワークインターフェース（以下、「ネットワークＩ／Ｆ」と称す）８０とを備えている。
各構成要素は、バスラインを介して互いに接続されている。
【００５０】
ＣＰＵ１１は、ＲＯＭ１２、ＲＡＭ１３、または、フラッシュメモリ１４に記憶される
固定値及びプログラムに従って、ＭＦＰ１０が有している各機能を制御し、また、バスラ
インと接続された各部を制御するものである。ＣＰＵ１１は、メディアセンサ６５の受光
部における検出値を受信し、この検出値に基づいて、被記録媒体の端部の位置についての
データを得る。
【００５１】
ＲＯＭ１２は、ＭＦＰ１０において実行される制御プログラム１２０などを格納する書
き換え不能なメモリである。ＣＰＵ１１は、制御プログラム１２０に従い、図５に示すフ
ローチャートに従うレーベル印刷処理を実行する。光ディスク媒体Ｄの規定サイズ（例え
ば直径１２０ｍｍまたは８０ｍｍ）に基づいて、光ディスク媒体Ｄにおける第１搬送方向
下流側端部から上流側端部まで搬送するために必要な搬送量が、規定サイズごとに対応付
けてＲＯＭ１２に記憶されている。
【００５２】
ＲＡＭ１３は、書き換え可能な揮発性のメモリであり、各種データを一時的に記憶する
ためのメモリである。ＲＡＭ１３には、例えば、レーベル印刷指示、メッセージ表示指示
、印刷データなど、ＰＣ９０から受信した各種データが記憶される。レーベル印刷指示、
メッセージ表示指示、及び、印刷データの詳細については後述する。
【００５３】
フラッシュメモリ１４は、書き換え可能な不揮発性のメモリである。コピー機能、スキ
ャン機能、及び、プリンタ機能などの各種機能に関するパラメータなどがフラッシュメモ
リ１４に記憶されている。例えば、「背面スペースを確保してください」というような、
ユーザによる操作を案内するメッセージまたは画像（本発明の案内情報に相当）など、表
示部５０に表示させるデータがフラッシュメモリ１４に記憶されている。
【００５４】
フラッシュメモリ１４は、状態フラグメモリ（本発明の状態記憶部に相当）１４０を有
している。状態フラグメモリ１４０は、状態フラグ（本発明の状態情報に相当）が記憶さ
れるメモリ領域である。状態フラグは、ＭＦＰ１０が作動状態であるか否かを示すフラグ
情報である。作動状態とは、レーベル印刷機能に基づく印刷が可能な状態であり、具体的
には、ＭＦＰ１０が、設置される部屋の壁Ｗから少なくとも距離Ｌ１（図３参照）だけ離
して設置されている状態である。すなわち、作動状態とは、装置背面２８から後方に距離
Ｌ１以上のスペース（以下、「背面スペース」と称す）が確保されている状態である。状
態フラグがオンである場合は、ＭＦＰ１０が作動状態である旨を示し、状態フラグがオフ
である場合は、ＭＦＰ１０が作動状態でない、すなわち、不作動状態である旨を示す。
【００５５】
ネットワークＩ／Ｆ８０は、ＭＦＰ１０をＬＡＮ４に接続し、例えば、ＰＣ９０との間
で種々のデータの送受信を実行する。
【００５６】
次に、ＰＣ９０について説明する。図４に示すように、ＰＣ９０は、主に、ＣＰＵ９１
と、ＲＯＭ９２と、ＲＡＭ９３と、ハードディスクドライブ（以下、「ＨＤＤ」と称す）
９４と、操作部９５と、表示部９７と、ネットワークＩ／Ｆ９９とを備えている。各構成
要素は、バスラインを介して互いに接続されている。
【００５７】
ＣＰＵ９１は、ＲＯＭ９２、ＲＡＭ９３、または、ＨＤＤ９４に記憶される固定値及び
プログラムに従って、バスラインと接続された各部を制御するものである。ＲＯＭ９２は
、ＰＣ９０の動作を制御するためのプログラムなどを格納する書き換え不能なメモリであ
る。
【００５８】
ＲＡＭ９３は、各種データを一時的に記憶するための、書き換え可能な揮発性のメモリ
である。ＲＡＭ９３には、例えば、状態フラグ、印刷許可、印刷完了通知など、ＭＦＰ１
０から受信した各種データが記憶される。ＭＦＰ１０から受信した印刷完了通知の回数が
印刷指示に対応付けてＲＡＭ９３に記憶されている。ＣＰＵ９１は、印刷指示に関連付け
られた印刷完了通知を受信するごとに、その印刷指示に対応付けてＲＡＭ９３に記憶され
ている印刷完了通知回数を１ずつ増加する。本実施形態において、印刷完了通知回数は、
ＰＣ９０により後述するレーベル印刷指示が作成されたときに（図６参照）、そのレーベ
ル印刷指示に関連付けて印刷完了通知回数を０回としてＲＡＭ９３に記憶される。
【００５９】
ＨＤＤ９４は、プリンタドライバ９４０と印刷データメモリ（本発明の印刷データ記憶
部に相当）９４２とを有している。プリンタドライバ９４０は、ＭＦＰ１０のプリンタ部
２０を制御するためのプログラムである。ＣＰＵ９１は、このプログラムに従い、図６に
示すフローチャートに従うレーベル印刷処理を実行する。印刷データメモリ９４２は、Ｃ
ＰＵ９１が受け付けた印刷指示による印刷の対象となる印刷データが、印刷指示に対応付
けて記憶されるメモリ領域である。
【００６０】
操作部９５は、例えば、キーボード及びマウスから構成され、各種指令の入力インター
フェースとして機能する。表示部９７は、例えば、操作手順、印刷設定画面、及び、印刷
データなど各種データを表示する。ネットワークＩ／Ｆ９９は、ＰＣ９０をＬＡＮ４に接
続し、例えば、ＭＦＰ１０との間で種々のデータの送受信を実行する。
【００６１】
＜実施形態の動作＞
本実施形態に係るＭＦＰ１０及びＰＣ９０の動作について、図５及び図６を参照して詳
細に説明する。本実施形態におけるＭＦＰ１０は、給紙トレイ２２に積載された記録用紙
Ｐに画像を印刷する通常印刷機能と、光ディスク媒体Ｄのレーベル面に画像を印刷するレ
ーベル印刷機能とを有している。
【００６２】
（通常印刷処理）
通常印刷機能に基づく印刷に係る通常印刷処理について説明する。ＰＣ９０のＣＰＵ９
１は、ユーザの操作部９５による操作に従って、通常印刷機能の実行指示を受け付けると
、その通常印刷機能の実行指示に基づいて作成される通常印刷指示をＭＦＰ１０へ送信す
る。通常印刷指示は、通常印刷機能に基づく印刷、すなわち、記録用紙Ｐへの印刷の実行
指令である。本実施形態では、ユーザにより操作部９５から通常印刷機能の実行が指示さ
れる際に、記録用紙Ｐへの印刷を所望する画像データ、記録用紙Ｐのサイズ、解像度など
、ユーザにより入力された印刷設定情報がＲＡＭ９３に記憶されている。通常印刷指示は
、記録用紙ＰのサイズなどのＲＡＭ９３に記憶された印刷設定情報を含むものである。
【００６３】
ＣＰＵ９１は、通常印刷機能の実行指示を受け付けると、解像度などの印刷設定情報に
基づいて、ユーザが印刷を所望する画像データから印刷データを作成し、印刷データメモ
リ９４２に記憶する。ＣＰＵ９１は、通常印刷指示をＭＦＰ１０へ送信する際に、印刷デ
ータメモリ９４２から印刷データを読み出し、その印刷データを通常印刷指示と一緒にＭ
ＦＰ１０へ送信する。
【００６４】
ＭＦＰ１０のＣＰＵ１１は、ＰＣ９０から通常印刷指示及び印刷データを受信すると、
通常印刷指示及び印刷データをＲＡＭ１３に記憶する。ＣＰＵ１１は、給紙トレイ２２か
ら給紙した記録用紙Ｐを、搬送路２４により下方から上方へＵターンするように案内して
、画像記録部２５まで搬送する。ＣＰＵ１１は、搬送路２４に沿って第２搬送方向へ搬送
しつつ、ＲＡＭ１３に記憶されている印刷データに基づいて、画像記録部２５まで搬送さ
れた記録用紙Ｐへ画像を印刷する。そして、ＣＰＵ１１は、印刷された記録用紙Ｐを搬送
路２４に沿って第２搬送方向へ搬送し、排紙トレイ２３に排出し、通常印刷処理を終了す
る。この通常印刷処理においては、記録用紙Ｐが装置背面２８から後方に突出して搬送さ
れることはない。
【００６５】
（レーベル印刷処理）
図５を参照して、ＭＦＰ１０のＣＰＵ１１により実行されるレーベル印刷処理について
説明する。このレーベル印刷処理は、レーベル印刷機能に基づく印刷に係る処理である。
レーベル印刷処理は、ＣＰＵ１１がＰＣ９０からレーベル印刷指示を受信した（本発明の
印刷指示受信手段に相当）と判断した場合に実行される処理である。レーベル印刷指示は
、レーベル印刷機能に基づく印刷、すなわち、光ディスク媒体Ｄのレーベル面への印刷の
実行指令である。本実施形態において、レーベル印刷指示は、例えば、光ディスク媒体Ｄ
のサイズなど、ＰＣ９０でユーザにより設定された印刷設定情報を含むものである。
【００６６】
ＣＰＵ１１は、レーベル印刷指示の送信元であるＰＣ９０（以下、「送信元ＰＣ９０」
と称す）から状態要求を受信したか否かを判断する（ステップ５０２、以下、ステップを
Ｓと記す）。状態要求は、状態フラグをＰＣ９０へ送信することを要求するものである。
状態要求を受信していないと判断された場合（Ｓ５０２：ＮＯ）、ＣＰＵ１１は、状態要
求を受信したと判断するまでステップ処理を繰り返す。
【００６７】
状態要求を受信したと判断された場合（Ｓ５０２：ＹＥＳ）、ＣＰＵ１１は、状態フラ
グを取得する（Ｓ５０４）。具体的に、ＣＰＵ１１は、状態フラグメモリ１４０に記憶さ
れている状態フラグを読み出す。そして、ＣＰＵ１１は、Ｓ５０４で取得した状態フラグ
を送信元ＰＣ９０へ送信する（Ｓ５０６）。
【００６８】
ＣＰＵ１１は、送信元ＰＣ９０からメッセージ表示指示を受信したか否かを判断する（
Ｓ５０８）。メッセージ表示指示は、例えば、「背面スペースを確保してください」とい
うような、ＭＦＰ１０の装置背面２８から後方に距離Ｌ１以上のスペースを確保するため
の準備作業をユーザに案内するメッセージまたは画像などの表示を指示するものである。
メッセージ表示指示を受信していないと判断される場合（Ｓ５０８：ＮＯ）、ＣＰＵ１１
はステップ処理をＳ５２４へ移行する。
【００６９】
メッセージ表示指示を受信したと判断された場合（Ｓ５０８：ＹＥＳ）、ＣＰＵ１１は
、ＭＦＰ１０の表示部５０に、例えば、「背面スペースを確保してください」というよう
なメッセージを表示する（Ｓ５１０）。そして、ＣＰＵ１１は、ＯＫボタン４１が押下さ
れたか否かを判断する（Ｓ５１２）。本実施形態では、「背面スペースを確保してくださ
い」というメッセージが表示されると、ユーザによりＭＦＰ１０を移動させるなどの操作
が行われ、ユーザが目視などにより背面スペースを確保したと判断した場合に、ユーザに
よりＯＫボタン４１が押下される。すなわち、本実施形態において、ＣＰＵ１１は、Ｓ５
１２でＯＫボタン４１の押下を検出した場合に、背面スペースを確保するためのユーザに
よる準備作業の完了通知を受け付けたと判断する。ＯＫボタン４１が押下されていないと
判断された場合（Ｓ５１２：ＮＯ）、ＣＰＵ１１は、ＯＫボタン４１が押下されたと判断
するまでステップ処理を繰り返す。
【００７０】
ＯＫボタン４１が押下されたと判断された場合（Ｓ５１２：ＹＥＳ）、ＣＰＵ１１は、
後述する準備動作の実行許可を受け付けたと判断し、ディスクトレイ７１が開口部２１か
ら第１搬送方向に挿入されたか否かを判断する（Ｓ５１４）。具体的には、ＣＰＵ１１は
、センサ６７によりディスクトレイ７１の挿入が検知されたか否かを判断する。本実施形
態では、ユーザにより、ＯＫボタン４１が押下された後、レーベル面への印刷を所望する
光ディスク媒体Ｄがディスク載置部に載置されたディスクトレイ７１が開口部２１から第
１搬送方向に挿入される。
【００７１】
ディスクトレイ７１が挿入されたと判断された場合（Ｓ５１４：ＹＥＳ）、ＣＰＵ１１
は、準備動作を実行する（Ｓ５１６）。準備動作は、駆動ローラ７５が逆転駆動され、挿
入されたディスクトレイ７１の第１搬送方向先端が搬送開始位置Ｓ１から第１搬送方向に
所定位置Ｓ２まで搬送される動作である。本実施形態において、搬送開始位置Ｓ１は、駆
動ローラ７５と拍車ローラ７６とにより挟持される位置である。
【００７２】
ＣＰＵ１１は、準備動作に基づいてＭＦＰ１０が作動状態であるか否かを判断する（Ｓ
５１８）。本実施形態において、所定位置Ｓ２（図３参照）は、ディスクトレイ７１の第
１搬送方向先端が装置背面２８から距離Ｌ１分突出した位置であり、光ディスク媒体Ｄに
おける第１搬送方向上流側端部ＤＰ（図３参照）（本発明の被検知部分に相当）がメディ
アセンサ６５により検出される位置とする。すなわち、Ｓ５１８において、ＣＰＵ１１は
、準備動作により搬送されたディスクトレイ７１が所定位置Ｓ２にあるか否かを判断する
。具体的には、ＣＰＵ１１は、ディスクトレイ７１に載置された光ディスク媒体Ｄの第１
搬送方向上流側端部ＤＰがメディアセンサ６５により検出されたか否かを判断する。なお
、本発明における所定位置Ｓ２はこれに限定されるものではなく、レーベル印刷処理（図
５参照）の実行開始から終了までにディスクトレイ７１の第１搬送方向先端が装置背面２
８から最も突出した位置であれば、種々の態様を採ることができる。また、図３において
、光ディスク媒体Ｄにおける第１搬送方向ＤＰに隣接するマークＭについては、後述する
変形例で詳細に説明する。
【００７３】
レーベル印刷処理では、ＭＦＰ１０が、設置される部屋の壁Ｗから距離Ｌ１以上離して
設置されていない場合が考えられる。例えば、ユーザが、Ｓ５１０で表示されたメッセー
ジは確認したが背面スペースを確保せずにＯＫボタン４１を押下した場合、または、Ｓ５
１０で表示されたメッセージを確認して背面スペース確保のためにＭＦＰ１０を移動させ
たが、装置背面２８から壁Ｗまでの距離が距離Ｌ１（図３参照）より短かった場合などで
ある。係る場合、メディアセンサ６５により光ディスク媒体Ｄにおける第１搬送方向下流
側端部が検出された後、所定位置Ｓ２まで搬送される前にディスクトレイ７１の第１搬送
方向先端が壁Ｗに接触し、光ディスク媒体Ｄにおける第１搬送方向上流側端部ＤＰが検出
されない。
【００７４】
このような場合を考慮して、本実施形態では、まず、ＣＰＵ１１が駆動ローラ７３及び
駆動ローラ７５の駆動源であるモータの電流値が異常値を示したか否かを判断する。モー
タの電流値が異常値を示す場合は、モータが空転している場合である。すなわち、ディス
クトレイ７１の第１搬送方向下流側端部が所定位置Ｓ２まで搬送される前に、壁Ｗなどの
障害物に接触したために、モータが空転している場合である。したがって、モータの電流
値が異常値を示したことが検出された場合に、ＣＰＵ１１はＭＦＰ１０が不作動状態であ
ると判断する（Ｓ５１８：ＮＯ）。
【００７５】
また、光ディスク媒体Ｄにおける第１搬送方向下流側端部が検出されてから所定の搬送量
搬送されるまでに、メディアセンサ６５により光ディスク媒体Ｄにおける第１搬送方向上
流側端部ＤＰが検出されない場合に、ＣＰＵ１１はＭＦＰ１０が不作動状態であると判断
する（Ｓ５１８：ＮＯ）。所定の搬送量とは、光ディスク媒体Ｄの規定サイズ（例えば直
径１２０ｍｍまたは８０ｍｍ）に基づいて、光ディスク媒体Ｄにおける第１搬送方向下流
側端部から上流側端部ＤＰまで搬送するために必要な搬送量であり、規定サイズごとに対
応付けてＲＯＭ１２に記憶されている。
【００７６】
例えば、装置背面２８から壁Ｗまでの間に障害物があった場合、軽い障害物であれば、
ディスクトレイ７１の第１搬送方向先端で障害物を押しながら、ディスクトレイ７１が搬
送される。係る場合、モータが空転せずに駆動ローラ７３及び駆動ローラ７５が回転すれ
ば、モータの電流値は異常値を示さない。しかしながら、障害物を押すことによりモータ
の負荷が変化するため、モータが所定の搬送量を搬送させるだけの駆動を与えても、実際
には、第１搬送方向上流側端部ＤＰまで搬送されていないという事態が考えられる。係る
場合であっても、本実施形態では、メディアセンサ６５により第１搬送方向上流側端部Ｄ
Ｐが検出されない場合に不作動状態と判断するので、作動状態であるか否かをより確実に
判断することができる。
【００７７】
また、本実施形態では、光ディスク媒体Ｄの規定サイズの違いによって、光ディスク媒
体Ｄにおける第１搬送方向下流側端部から上流側端部ＤＰまで搬送するために必要な搬送
量が異なり、装置背面に突出する突出量も異なる。したがって、各規定サイズに基づく所
定の搬送量だけ搬送させるため、各規定サイズにおいて最低限必要な背面スペースが確保
されているかを判断することができる。また、メディアセンサ６５の検出に先立って、モ
ータも電流値が異常値を示したか否かを判断することにより、モータを空転させる時間を
できるだけ短くし、モータに余分な負荷を与えることを防ぐことができる。
【００７８】
すなわち、本実施形態では、Ｓ５１６及びＳ５１８において、ＣＰＵ１１は、送信元Ｐ
Ｃ９０から受信したレーベル印刷指示に含まれる光ディスク媒体Ｄのサイズに対応する所
定の搬送量をＲＯＭ１２から読み出し、駆動ローラ７５を逆転駆動して、挿入されたディ
スクトレイ７１をその所定の搬送量だけ搬送する（Ｓ５１６）。そして、ＣＰＵ１１は、
所定の搬送量だけ搬送する間に、モータの電流値が異常値を示したことを検出した場合、
または、ディスクトレイ７１に載置された光ディスク媒体Ｄの第１搬送方向上流側端部Ｄ
Ｐが検知されなかった場合にＭＦＰ１０が不作動状態であると判断する（Ｓ５１８：ＮＯ
）。一方、光ディスク媒体Ｄの第１搬送方向上流側端部ＤＰがメディアセンサ６５により
検出された場合にＭＦＰ１０が作動状態であると判断する（Ｓ５１８：ＹＥＳ）。なお、
所定の搬送量は、光ディスク媒体Ｄの第１搬送方向下流側端部から、少なくとも上流側端
部が第１搬送方向においてメディアセンサ６５より下流側に位置するまでに必要な搬送量
であればよい。所定の搬送量として、ディスク媒体Ｄの第１搬送方向下流側端部から、上
流側端部が第１搬送方向においてメディアセンサ６５よりわずかに下流側に位置するまで
に必要な搬送量を採用した場合、装置背面２８から後方へのディスクトレイ７１の突出量
を出来るだけ小さくしつつ、上流側端部の検出をより確実に行うことができるため、好適
である。
【００７９】
Ｓ５１８の判断により作動状態であると判断された場合（Ｓ５１８：ＹＥＳ）、ＣＰＵ
１１は、状態フラグメモリ１４０に記憶されている状態フラグをオンに書き換える（Ｓ５
２０）。そして、ＣＰＵ１１は、送信元ＰＣ９０から受信したレーベル印刷指示に基づく
印刷の許可を示す印刷許可を、レーベル印刷処理開始時に受信したレーベル印刷指示に関
連付けて送信元ＰＣ９０へ送信する（Ｓ５２２）。
【００８０】
ＣＰＵ１１は、印刷データを送信元ＰＣ９０から受信したか否かを判断する（Ｓ５２４
）。印刷データを受信していないと判断された場合（Ｓ５２４：ＮＯ）、ＣＰＵ１１は、
ステップ処理をＳ５０８へ移行する。本実施形態において、Ｓ５２４で受信する印刷デー
タは、レーベル印刷処理開始時に送信元ＰＣ９０から受信したレーベル印刷指示に関連付
けられている。
【００８１】
印刷データを受信したと判断された場合（Ｓ５２４：ＹＥＳ）、ＣＰＵ１１は、受信し
た印刷データに基づく印刷を実行する（Ｓ５２６）。具体的に、ＣＰＵ１１は、駆動ロー
ラ７５を正転駆動して所定位置Ｓ２に位置するディスクトレイ７１を第２搬送方向へ搬送
しながら、レーベル印刷処理開始時に受信した印刷設定情報とＳ５２４で受信した印刷デ
ータとに基づいて、ディスクトレイ７１に載置された光ディスク媒体Ｄのレーベル面に画
像を印刷する。そして、ＣＰＵ１１は、ディスクトレイ７１を排紙トレイ２３側へ排出す
る。また、ＣＰＵ１１が後述するジョブ終了通知及びメッセージ表示指示を受信せずに（
Ｓ５３０：ＮＯ、Ｓ５０８：ＮＯ）、印刷データを受信して（Ｓ５２４：ＹＥＳ）ステッ
プ処理をＳ５２６へ移行した場合、ＣＰＵ１１は、Ｓ５２６において、ディスクトレイ７
１が挿入されたか否かを判断し、挿入されたと判断した場合に印刷を実行する。係る場合
、ディスクトレイ７１が挿入されたか否かを判断する前に、光ディスク媒体Ｄをセットし
たディスクトレイを挿入する旨を表示部５０に表示させてもよい。
【００８２】
ＣＰＵ１１は、Ｓ５２４で受信した印刷データに基づく印刷が完了したことを示す印刷
完了通知を送信元ＰＣ９０へ送信する（Ｓ５２８）。Ｓ５２８では、ＣＰＵ１１は、印刷
完了通知を、レーベル印刷処理開始時に受信したレーベル印刷指示に関連付けて送信する
。
【００８３】
ＣＰＵ１１は、ジョブ終了通知を送信元ＰＣ９０から受信したか否かを判断する（Ｓ５
３０）。ジョブ終了通知は、レーベル印刷処理開始時に受信したレーベル印刷指示に基づ
く印刷が終了したことを通知する情報である。ジョブ終了通知を受信していないと判断さ
れた場合（Ｓ５３０：ＮＯ）、ＣＰＵ１１は、ステップ処理をＳ５０８へ移行する。ジョ
ブ終了通知を受信したと判断された場合（Ｓ５３０：ＹＥＳ）、ＣＰＵ１１は、状態フラ
グメモリ１４０に記憶されている状態フラグをオフに書き換え（Ｓ５３２）、レーベル印
刷処理を終了する。
【００８４】
Ｓ５１４の判断によりディスクトレイ７１が挿入されていないと判断された場合（Ｓ５
１４：ＮＯ）、または、Ｓ５１８の判断により不作動状態であると判断された場合（Ｓ５
１８：ＮＯ）、
ＣＰＵ１１はエラー表示を行う（Ｓ５３４）。具体的には、Ｓ５３４において、ＣＰＵ１
１は、ディスクトレイ７１が挿入されていない旨、または、「背面スペースが確保されて
いません」などの不作動状態である旨をユーザに案内するメッセージまたは画像などを表
示部５０に表示する。そして、ＣＰＵ１１は、表示したエラー内容を示すエラー情報を送
信元ＰＣ９０へ送信し（Ｓ５３６）、レーベル印刷処理を終了する。
【００８５】
図６を参照して、ＰＣ９０のＣＰＵ９１により実行されるレーベル印刷処理について説
明する。このレーベル印刷処理は、ＣＰＵ９１が、ユーザの操作部９５による操作に従っ
て、レーベル印刷機能の実行指示を受け付けたときに開始される。
【００８６】
ＣＰＵ９１は、ユーザの操作部９５による操作に従って受け付けたレーベル印刷機能の
実行指示に基づいて、レーベル印刷指示をＭＦＰ１０へ送信する（Ｓ６００）。本実施形
態では、ユーザにより操作部９５からレーベル印刷機能の実行が指示される際に、光ディ
スク媒体Ｄのレーベル面への印刷を所望する画像データ、印刷位置、及び、光ディスク媒
体Ｄのサイズなど、ユーザにより入力された印刷設定情報がＲＡＭ９３に記憶されている
。Ｓ６００において、ＣＰＵ９１は、ＲＡＭ９３に記憶された印刷設定情報を読み出し、
その印刷設定情報を含むレーベル印刷指示を作成してＭＦＰ１０へ送信する。
【００８７】
Ｓ６００において、ＣＰＵ９１は、印刷位置及び光ディスク媒体Ｄのサイズなど、ユー
ザにより入力された印刷設定情報に基づいて、ユーザが光ディスク媒体Ｄのレーベル面へ
の印刷を所望する画像データから印刷データを作成する。ＣＰＵ９１は、ＭＦＰ１０へ送
信するレーベル印刷指示に関連付けて、その作成された印刷データを印刷データメモリ９
４２に記憶する。
【００８８】
ＣＰＵ９１は、状態要求をＭＦＰ１０へ送信する（Ｓ６０２）。そして、ＣＰＵ９１は
、Ｓ６００でレーベル印刷指示を送信したＭＦＰ１０（以下、「送信先ＭＦＰ１０」と称
す）から状態フラグを受信したか否かを判断する（Ｓ６０４）。状態フラグを受信してい
ないと判断された場合（Ｓ６０４：ＮＯ）、ＣＰＵ９１は、状態フラグを受信するまでス
テップ処理を繰り返す。
【００８９】
状態フラグを受信したと判断された場合（Ｓ６０４：ＹＥＳ）、ＣＰＵ９１は、受信し
た状態フラグがオンであるか否かを判断する（Ｓ６０６）。状態フラグがオンである場合
（Ｓ６０６：ＹＥＳ）、ＣＰＵ９１はステップ処理をＳ６１２へ移行する。状態フラグが
オフである場合（Ｓ６０６：ＮＯ）、ＣＰＵ９１はメッセージ表示指示を送信先ＭＦＰ１
０へ送信する（Ｓ６０８）。
【００９０】
ＣＰＵ９１は、Ｓ６００で送信したレーベル印刷指示に関連付けられた印刷許可を受信
したか否かを判断する（Ｓ６１０）。印刷許可を受信していないと判断された場合（Ｓ６
１０：ＮＯ）、ＣＰＵ９１は、エラー情報を受信したか否かを判断する（Ｓ６１１）。エ
ラー情報を受信していないと判断された場合（Ｓ６１１：ＮＯ）、ＣＰＵ９１は、ステッ
プ処理をＳ６１０へ移行する。エラー情報を受信したと判断された場合（Ｓ６１１：ＹＥ
Ｓ）、ＣＰＵ９１は、レーベル印刷処理を終了する。
【００９１】
印刷許可を受信したと判断された場合（Ｓ６１０：ＹＥＳ）、ＣＰＵ９１は、Ｓ６００
でＭＦＰ１０へ送信したレーベル印刷指示に関連付けて印刷データメモリ９４２に記憶さ
れている印刷データを読み出し、その印刷データを送信先ＭＦＰ１０へ送信する（Ｓ６１
２）。Ｓ６１２において、ＣＰＵ９１は、印刷データメモリ９４２から読み出した印刷デ
ータを、Ｓ６００でＭＦＰ１０へ送信したレーベル印刷指示に関連付けて送信する。
【００９２】
ＣＰＵ９１は、Ｓ６１２で送信した印刷データに基づく印刷が完了したことを示す印刷
完了通知を受信したか否かを判断する（Ｓ６１４）。本実施形態において、Ｓ６１４で受
信する印刷完了通知は、Ｓ６００で送信したレーベル印刷指示に関連付けられている。印
刷完了通知を受信していないと判断された場合（Ｓ６１４：ＮＯ）、ＣＰＵ９１は、印刷
完了通知を受信したと判断するまでステップ処理を繰り返す。
【００９３】
印刷完了通知を受信したと判断された場合（Ｓ６１４：ＹＥＳ）、ＣＰＵ９１は、ユー
ザによって、その印刷完了通知に対応するレーベル印刷機能の実行指示が入力された際に
、印刷データの複数部印刷が指示されたか否かを判断する（Ｓ６１６）。具体的に、ＣＰ
Ｕ９１は、受信した印刷完了通知に関連付けられたレーベル印刷指示に含まれる印刷設定
情報に、印刷データの複数部印刷を指示する複数部印刷設定情報が含まれているか否かを
判断する（Ｓ６１６）。Ｓ６１６において、ＣＰＵ９１は、受信した印刷完了通知に関連
付けられたレーベル印刷指示に対応付けてＲＡＭ９３に記憶されている印刷完了通知回数
を１だけ増加する。本実施形態において、複数部印刷設定情報は、印刷データの複数部印
刷の指示と、設定された印刷部数とを有する。複数部印刷設定情報が含まれていないと判
断された場合（Ｓ６１６：ＮＯ）、ＣＰＵ９１は、ステップ処理をＳ６２０へ移行する。
【００９４】
複数部印刷設定情報が含まれていると判断された場合（Ｓ６１６：ＹＥＳ）、ＣＰＵ９
１は、設定された部数の印刷が完了したか否かを判断する（Ｓ６１８）。具体的に、ＣＰ
Ｕ９１は、複数部印刷設定情報に含まれる印刷部数と、その複数部印刷設定情報を含むレ
ーベル印刷指示に対応付けてＲＡＭ９３に記憶されている印刷完了通知回数とを取得し、
取得した印刷部数と印刷完了通知回数とが一致するか否かを判断する。取得した印刷部数
と印刷完了通知回数とが一致しない場合、設定された部数の印刷が完了していないと判断
され（Ｓ６１８：ＮＯ）、ＣＰＵ９１は、ステップ処理をＳ６０６へ移行する。
【００９５】
取得した印刷部数と印刷完了通知回数とが一致する場合、設定された部数の印刷が完了
したと判断され（Ｓ６１８：ＹＥＳ）、ＣＰＵ９１は、ジョブ終了通知を送信先ＭＦＰ１
０へ送信し（Ｓ６２０）、レーベル印刷処理を終了する。
【００９６】
ジョブ終了通知は、Ｓ６００で送信したレーベル印刷指示に基づく印刷が終了したこと
を通知する情報である。本実施形態では、ユーザにより設定された部数分の印刷処理（図
５に示すＳ５２６参照）がＭＦＰ１０により実行された場合に、そのレーベル印刷指示に
基づく印刷が終了したとみなす。すなわち、ＣＰＵ９１が設定された部数と同回数だけ印
刷完了通知を受信した場合に（Ｓ６１８：ＹＥＳ）、Ｓ６００で送信したレーベル印刷指
示に基づく印刷が終了したとみなし、ジョブ終了通知を送信先ＭＦＰ１０へ送信する（Ｓ
６２０）。
【００９７】
以上説明したように、本実施形態によれば、ＯＫボタン４１の押下により受け付けられ
た実行許可に基づいて実行された準備動作により、背面スペースが確保された作動状態で
あると判断された場合、印刷許可がＭＦＰ１０からＰＣ９０へ送信される（図５に示すＳ
５１２〜５２２参照）。そして、ＰＣ９０の印刷データメモリ９４２に記憶された印刷デ
ータがＭＦＰ１０へ送信され（図６に示すＳ６１２参照）、ＭＦＰ１０において、ＰＣ９
０から受信した印刷データに従う印刷が実行される（図５に示すＳ５２６参照）。
【００９８】
これにより、準備動作の実行によって作動状態であると判断された場合に印刷が実行さ
れるので、ディスクトレイ７１を、ケーシング２６、すなわち、装置背面２８から突出さ
せて印刷するレーベル印刷機能（図３参照）に基づいて印刷を実行する際における印刷エ
ラーを低減することができる。ここで、印刷エラーは、レーベル面への画像の記録が実行
された場合に生じるエラーである。例えば、背面スペースが十分に確保されていない場合
にディスクトレイ７１が所定位置Ｓ２（図３参照）まで突出できずに印刷が実行されたた
め、レーベル面に対する印刷位置がずれ、ユーザが所望する印刷結果が得られない場合な
どである。したがって、レーベル印刷機能に基づく印刷の失敗による光ディスク媒体Ｄの
無駄を低減することができる。
【００９９】
準備動作として、光ディスク媒体Ｄを支持するディスクトレイ７１が、搬送路２４上に
定められた搬送開始位置Ｓ１から所定位置Ｓ２まで搬送される動作が実行される（図５に
示すＳ５１６参照）。すなわち、レーベル印刷処理（図５参照）の実行開始から終了まで
にディスクトレイ７１の第１搬送方向先端が装置背面２８から最も突出した位置である所
定位置Ｓ２まで搬送することにより作動状態であるか否かが判断されるので、レーベル印
刷機能に基づく印刷の失敗による光ディスク媒体Ｄの無駄を確実に低減することができる
。
【０１００】
図５に示すＳ５１８では、ディスクトレイ７１に載置された光ディスク媒体Ｄの第１搬
送方向上流側端部ＤＰがメディアセンサ６５により検出されたか否かに基づいて、ディス
クトレイ７１が所定位置Ｓ２に位置するか否かが判断される。そして、ディスクトレイ７
１が所定位置Ｓ２に位置する場合に作動状態であると判断される。これにより、レーベル
印刷機能に基づく印刷が可能な作動状態であるか否かを容易且つ確実に判断することがで
きる。
【０１０１】
図５に示すＳ５１０では、例えば、「背面スペースを確保してください」というような
、ＭＦＰ１０の装置背面２８から後方に距離Ｌ１以上のスペースを確保するための準備作
業をユーザに案内するメッセージまたは画像などが表示部５０に表示される。そして、表
示されたメッセージなどに従って、例えば、ＭＦＰ１０を移動させるなどの準備作業が行
われてＯＫボタン４１が押下された場合に、準備動作の実行許可が受け付けられる（図５
に示すＳ５１２参照）。これにより、ユーザが表示部５０に表示された準備作業を確認し
てからレーベル印刷機能に基づく印刷指示を行うため、レーベル印刷機能に基づく印刷の
失敗による光ディスク媒体Ｄの無駄をさらに確実に低減することができる。
【０１０２】
ＭＦＰ１０が作動状態であるか否かを示す状態フラグを要求する状態要求がＰＣ９０か
らＭＦＰ１０へ送信された場合に（図５、６に示すＳ５０２、Ｓ６０２参照）、ＭＦＰ１
０の状態フラグメモリ１４０に記憶された状態フラグがＰＣ９０へ送信される（図５に示
すＳ５０６参照）。そして、ＰＣ９０において、受信した状態フラグがオフ、すなわち、
ＭＦＰ１０が不作動状態であると判断された場合（図６に示すＳ６０６：ＮＯ）、準備作
業をユーザに案内するメッセージなどの表示を指示するメッセージ表示指示がＰＣ９０か
らＭＦＰ１０へ送信される（図６に示すＳ６０８参照）。一方、受信した状態フラグがオ
ン、すなわち、ＭＦＰ１０が作動状態であると判断された場合（図６に示すＳ６０６：Ｙ
ＥＳ）、印刷データメモリ９４２に記憶されている印刷データがＰＣ９０からＭＦＰ１０
へ送信される（図６に示すＳ６１２参照）。
【０１０３】
これにより、例えば、レーベル印刷機能に基づく印刷を複数部設定した場合における２
部目以降の印刷など、予めＭＦＰ１０が作動状態であると判断されている、すなわち、状
態フラグがオンである場合には、準備動作を実行して作動状態であるか否かを確認する処
理（図５に示すＳ５０８〜５２２参照）を実行することなく、印刷を行うことができる。
したがって、レーベル印刷機能に基づく印刷の失敗による光ディスク媒体Ｄの無駄を低減
しつつ、効率的にレーベル印刷機能に基づく印刷を実行することができる。
【０１０４】
＜変形例＞
以上、本発明の一実施形態について説明したが、本発明は上記実施形態に限定されるも
のではなく、本発明の要旨を逸脱しない範囲内で種々の態様を採ることができる。
【０１０５】
本実施形態では、本発明の印刷機能として、装置背面２８から後方に距離Ｌ１分突出し
た所定位置Ｓ２までディスクトレイ７１の第１搬送方向先端を突出させて光ディスク媒体
Ｄのレーベル面への印刷を完了するレーベル印刷機能を例に挙げて説明した。しかしなが
ら、本発明はこれに限定されるものではなく、種々の態様を採用できる。例えば、ＭＦＰ
１０の前後方向に平行に設けられた搬送路であるストレートパスを使用し、厚紙などの被
記録媒体に対して印刷する機能（以下、「ストレートパス印刷機能」と称す）、または、
開口部２１がカバーなどで覆われているＭＦＰ１０において開口部２１を覆うカバーが開
いた状態で記録用紙Ｐに印刷する機能（以下、「普通紙印刷機能」と称す）などを有する
ＭＦＰ１０にも適用することができる。本実施形態では、通常印刷機能は装置背面２８か
ら後方に距離Ｌ１分の間隔を必要としない印刷機能であるが、この通常印刷機能に代えて
、後述の普通紙印刷機能を採用してもよい。係る場合、レーベル印刷機能及び普通紙印刷
機能の両機能が、装置背面２８から後方に距離Ｌ１分の突出動作を必要とする。
【０１０６】
（ストレートパス印刷機能）
ストレートパス印刷機能に基づく印刷は、開口部２１から被記録媒体が挿入されると、
装置背面２８に設けられたストレートパスの排紙口までストレートパスに沿って搬送され
ながら印刷が行われる。すなわち、ＭＦＰ１０が部屋の壁Ｗに接している場合、排紙口か
ら印刷済みの被記録媒体を取り出すことは困難である。一般に、ストレートパスの排紙口
がカバーなどで覆われており、カバーを開いた状態において、そのカバーが排紙トレイ（
本発明の支持部に相当）の役割を担うように構成されているものが多い。なお、以下で説
明するストレートパス印刷機能を有するＭＦＰ１０は、排紙口を覆うカバーを備え、その
カバーが排紙トレイとして機能可能であるか、すなわち、カバーがＭＦＰ１０の後方へ完
全に開いた状態であるか否かを検知するセンサを排紙口に設けているとする。
【０１０７】
ストレートパス印刷機能を有するＭＦＰ１０に本発明を適用する場合は、以下の手順に
より本発明の実行許可受付手段、実行手段、及び、判断手段が実行される。まず、ＣＰＵ
１１は、ユーザにより操作部４０の操作が行われたかを判断し、操作が行われたと判断し
た場合に、ストレートパス印刷機能に基づく印刷を準備する準備動作の実行許可を受け付
ける（本発明の実行許可受付手段に相当）。そして、ＣＰＵ１１は、準備動作として、排
紙口を覆うカバーを自動的に開ける（本発明の実行手段に相当）。準備動作が実行される
と、ＣＰＵ１１は、排紙口に設けられたセンサの検知に基づいて、ＭＦＰ１０が作動状態
、すなわち、カバーがＭＦＰ１０の後方へ完全に開いた状態であるか否かを判断する（本
発明の判断手段に相当）。そして、カバーがＭＦＰ１０の後方へ完全に開いた状態である
と判断された場合に、ＣＰＵ１１は印刷許可をＰＣ９０へ送信する。
【０１０８】
カバーがＭＦＰ１０の後方へ完全に開いた状態、すなわち、カバーが排紙トレイとして
機能することが可能な状態である場合に印刷が実行されるので、カバーを装置背面２８か
ら突出させて印刷するストレートパス印刷機能に基づく印刷の失敗による被記録媒体の無
駄を低減することができる。
【０１０９】
（普通紙印刷機能）
普通紙印刷機能に基づく印刷は、開口部２１を覆うカバーが開くことにより、排紙トレ
イ２３（本発明の支持部に相当）として機能するカバーが装置正面から前方に突出した状
態で印刷が行われる。排紙トレイ２３の位置以外は本実施形態の記録用紙Ｐの印刷（図３
参照）と同様であり、具体的には、給紙トレイ２２から給紙された記録用紙Ｐが、搬送路
２４により下方から上方へＵターンするように案内され、画像記録部２５により画像記録
が行われた後、装置正面側（前方）へ搬送路２４に沿って搬送され、排紙トレイ２３に排
出される。すなわち、開口部２１を覆うカバーが閉じた状態で普通紙印刷機能に基づく印
刷が実行された場合、印刷済みの被記録媒体が排出されない虞があり、普通紙印刷機能に
基づく印刷を正常に実行するためには、カバーが開かれていることが必須である。なお、
以下で説明する普通紙印刷機能を有するＭＦＰ１０は、開口部２１を覆うカバーがＭＦＰ
１０の前方へ完全に開いた状態であるか否かを検知するセンサを開口部２１に設けている
とする。
【０１１０】
普通紙印刷機能を有するＭＦＰ１０に本発明を適用する場合は、以下の手順により本発
明の実行許可受付手段、実行手段、及び、判断手段が実行される。まず、ＣＰＵ１１は、
ユーザにより操作部４０の操作が行われたかを判断し、操作が行われたと判断した場合に
、普通紙印刷機能に基づく印刷を準備する準備動作の実行許可を受け付ける（本発明の実
行許可受付手段に相当）。そして、ＣＰＵ１１は、準備動作として、開口部２１を覆うカ
バーを自動的に開ける（本発明の実行手段に相当）。準備動作が実行されると、ＣＰＵ１
１は、開口部２１に設けられたセンサの検知に基づいて、ＭＦＰ１０が作動状態、すなわ
ち、カバーがＭＦＰ１０の前方へ完全に開いた状態であるか否かを判断する（本発明の判
断手段に相当）。そして、カバーがＭＦＰ１０の前方へ完全に開いた状態であると判断さ
れた場合に、ＣＰＵ１１は印刷許可をＰＣ９０へ送信する。
【０１１１】
カバーがＭＦＰ１０の前方へ完全に開いた状態である場合に印刷が実行されるので、カ
バーを装置正面から前方に突出させて印刷する普通紙印刷機能に基づく印刷の失敗による
被記録媒体の無駄を低減することができる。
【０１１２】
（画像形成システムの変形例）
本実施形態では、本発明の画像形成システムとして、ＭＦＰ１０とＰＣ９０とから構成
される画像形成システム１を例に挙げて説明した。しかしながら、本発明はこれに限定さ
れるものではなく、例えば、ＭＦＰ１０などの画像形成装置単体が本発明の画像形成シス
テム全体の機能を備える構成としてもよい。
【０１１３】
係る場合、例えば、レーベルコピー機能、メディアカードに記憶された画像データに基
づくレーベル印刷機能（以下、「メディア印刷機能」と称す）を実行する際に本発明を適
用することができる。レーベルコピー機能は、スキャナ部３０で読み取られた画像データ
に基づいて作成された印刷データを光ディスク媒体Ｄのレーベル面に印刷する機能である
。メディア印刷機能は、例えば、コンパクトフラッシュ（登録商標）やＳＤメモリカード
（登録商標）など、ＭＦＰ１０に着脱可能なメディアカードに記憶されている画像データ
に基づいて作成された印刷データをレーベル面に印刷する機能である。
【０１１４】
（レーベルコピー機能）
図７を参照して、ＭＦＰ１０のＣＰＵ１１により実行されるレーベルコピー処理につい
て説明する。このレーベルコピー処理は、レーベルコピー機能に基づく印刷に係る処理で
ある。レーベルコピー処理は、ユーザの操作部４０による操作に従って、レーベルコピー
機能の実行指示を受け付けたときに開始される。本実施形態では、ユーザによりレーベル
コピー機能の実行が指示される際に、光ディスク媒体Ｄのサイズ、原稿の読取解像度など
、ユーザにより入力されたコピー設定情報が、レーベルコピー機能の実行指示に関連付け
てＲＡＭ１３に記憶される。また、本実施形態では、レーベルコピー機能の実行指示を受
け付けた際に、ＣＰＵ１１は、コピー回数を０回として、その実行指示に対応付けてＲＡ
Ｍ１３に記憶する。なお、図５のフローチャートと同一の処理は詳細な説明を省略する。
【０１１５】
Ｓ７００において、ＣＰＵ１１は、図５に示すＳ５０４と同様にして、状態フラグを取
得する。そして、ＣＰＵ１１は、図６に示すＳ６０６と同様にして、Ｓ７００で取得した
状態フラグがオンであるか否かを判断する（Ｓ７０２）。状態フラグがオフであると判断
された場合（Ｓ７００：ＮＯ）、ＣＰＵ１１はステップ処理をＳ７２０へ移行する。状態
フラグがオンであると判断された場合（Ｓ７０２：ＹＥＳ）、ＣＰＵ１１はステップ処理
をＳ７０４へ移行する。図７に示すＳ７０４〜Ｓ７１４は、図５に示すＳ５１０〜Ｓ５２
０と同一の処理であるため、説明を省略する。
【０１１６】
Ｓ７１６において、ＣＰＵ１１は、ＭＦＰ１０の表示部５０に、例えば、「原稿を載置
してください」など、原稿の載置を案内する原稿載置メッセージを表示する。本実施形態
では、Ｓ７１６において原稿載置メッセージが表示された場合は、状態フラグがオンであ
り、すなわち、ＭＦＰ１０が作動状態である。すなわち、原稿載置メッセージの表示は、
原稿の載置を案内するとともに、レーベルコピー機能に基づく印刷の許可を案内するもの
である。そして、ＣＰＵ１１は、ＯＫボタン４１が押下されたか否かを判断する（Ｓ７１
８）。本実施形態では、原稿載置メッセージが表示されると、ユーザによりスキャナ部３
０の載置用ガラス板（非図示）に原稿が載置されて、ユーザによりＯＫボタン４１が押下
される。すなわち、本実施形態において、ＣＰＵ１１は、Ｓ７１８でＯＫボタン４１の押
下を検出した場合に、原稿が載置用ガラス板に載置されたと判断する。ＯＫボタン４１が
押下されていないと判断された場合（Ｓ７１８：ＮＯ）、ＣＰＵ１１は、ＯＫボタン４１
が押下されたと判断するまでステップ処理を繰り返す。
【０１１７】
ＯＫボタン４１が押下されたと判断された場合（Ｓ７１８：ＹＥＳ）、ＣＰＵ１１は、
スキャナ部３０の原稿読取センサ（非図示）により原稿を読み取り、画像データを生成す
る（Ｓ７２０）。そして、ＣＰＵ１１は、図５に示すＳ５２６と同様にして、ユーザによ
り設定された印刷設定情報と、Ｓ７２０で生成された画像データとに基づいて印刷データ
を作成し、その印刷データに基づく印刷を実行する（Ｓ７２２）。印刷設定情報は、例え
ば、光ディスク媒体Ｄにおける印刷位置など、レーベルコピー処理における印刷の実行に
必要な設定情報である。本実施形態では、例えば、レーベルコピー処理の実行開始時やＳ
７２０による画像データの生成後などに、ユーザにより操作部４０から印刷設定情報が設
定される。
【０１１８】
また、後述する設定された部数のコピーが完了していないと判断された場合（Ｓ７２６
：ＮＯ）、状態フラグはオンであるので（Ｓ７０２：ＹＥＳ）、ＣＰＵ１１は、ステップ
処理をＳ７２０へ移行し、再度Ｓ７２０及びＳ７２２の処理を実行する。係る場合、ＣＰ
Ｕ１１は、Ｓ７２２において、ディスクトレイ７１が挿入されたか否かを判断し、挿入さ
れたと判断した場合に印刷を実行する。また、ディスクトレイ７１が挿入されたか否かを
判断する前に、光ディスク媒体Ｄをセットしたディスクトレイを挿入する旨を表示部５０
に表示させてもよい。
【０１１９】
Ｓ７２４において、ＣＰＵ１１は、ユーザによりレーベルコピー機能の実行指示が入力
された際に、原稿の複数部コピーが指示されたか否かを判断する。具体的に、ＣＰＵ１１
は、レーベルコピー機能の実行指示に関連付けて記憶されているコピー設定情報に、複数
部コピーを指示する複数部コピー設定情報が含まれているか否かを判断する。Ｓ７２４に
おいて、ＣＰＵ１１は、レーベルコピー機能の実行指示に対応付けてＲＡＭ１３に記憶さ
れているコピー回数を１だけ増加する。本実施形態において、複数部コピー設定情報は、
複数部コピーの指示と、設定されたコピー部数とを有する。複数部コピー設定情報が含ま
れていないと判断された場合（Ｓ７２４：ＮＯ）、ＣＰＵ１１はレーベルコピー処理を終
了する。
【０１２０】
複数部コピー設定情報が含まれていると判断された場合（Ｓ７２４：ＹＥＳ）、ＣＰＵ
１１は、設定された部数のコピーが完了したか否かを判断する（Ｓ７２６）。具体的に、
ＣＰＵ１１は、複数部コピー設定情報に含まれるコピー部数と、その複数部コピー設定情
報を含むレーベルコピー機能の実行指示に対応付けてＲＡＭ１３に記憶されているコピー
回数とが一致するか否かを判断する。コピー部数とコピー回数とが一致しない場合、設定
された部数のコピーが完了していないと判断され（Ｓ７２６：ＮＯ）、ＣＰＵ１１はステ
ップ処理をＳ７０２へ移行する。コピー部数とコピー回数とが一致する場合、設定された
部数のコピーが完了したと判断され（Ｓ７２６：ＹＥＳ）、ＣＰＵ１１は、図５に示すＳ
５３２と同様にして、状態フラグメモリ１４０に記憶されている状態フラグをオフに書き
換え（Ｓ７２８）、レーベルコピー処理を終了する。
【０１２１】
Ｓ７０８の判断によりディスクトレイ７１が挿入されていないと判断された場合（Ｓ７
０８：ＮＯ）、または、Ｓ７１２の判断により不作動状態であると判断された場合（Ｓ７
１２：ＮＯ）、
ＣＰＵ１１は、図５に示すＳ５３４と同様にしてエラー表示を行い（Ｓ７３０）、レーベ
ルコピー処理を終了する。
【０１２２】
したがって、レーベルコピー機能に基づく印刷が実行される場合においても、印刷の失
敗による被記録媒体の無駄を低減することができる。
【０１２３】
（メディア印刷機能）
メディア印刷機能に基づく印刷に係るメディア印刷処理は、図７のレーベルコピー処理
を示すフローチャートに基づいて、ＭＦＰ１０のＣＰＵ１１が以下のように処理を実行す
ればよい。ＣＰＵ１１は、ユーザの操作部４０による操作に従って、メディア印刷機能の
実行指示を受け付けたときに、メディア印刷処理を開始する。本実施形態において、メデ
ィア印刷機能の実行指示を受け付けた際に、ＣＰＵ１１は、印刷回数を０回として、その
実行指示に対応付けてＲＡＭ１３に記憶する。なお、レーベルコピー処理と同一の処理は
説明を省略する。
【０１２４】
まず、ＣＰＵ１１は、図７に示すＳ７００〜Ｓ７１４の処理を実行し、Ｓ７１５におい
て、メディアカードの装着を案内する装着メッセージを表示部５０に表示する。本実施形
態では、レーベルコピー機能の場合と同様に、装着メッセージの表示は、メディアカード
の装着を案内するとともに、メディア印刷機能に基づく印刷の許可を案内するものである
。
【０１２５】
Ｓ７１８の処理を実行し、ＯＫボタン４１が押下されたと判断された場合（Ｓ７１８：
ＹＥＳ）、ＣＰＵ１１は、Ｓ７２０において、装着されたメディアカードに記憶された画
像データを読み出す。そして、レーベルコピー処理の場合と同様に、ＣＰＵ１１は、ユー
ザにより設定された印刷設定情報と、Ｓ７２０で生成された画像データとに基づいて印刷
データを作成し、その印刷データに基づく印刷を実行する（Ｓ７２２）。メディア印刷機
能における印刷設定情報は、例えば、光ディスク媒体Ｄへの印刷を所望する画像データ、
印刷位置など、メディア印刷機能に基づく印刷に必要な設定情報であり、複数部印刷設定
情報を含んでいる。本実施形態では、Ｓ７２０においてメディアカードに記憶された画像
データが読み出された後に、ユーザにより印刷設定情報が設定され、ＲＡＭ１３に記憶さ
れる。
【０１２６】
Ｓ７２４において、ＣＰＵ１１は、レーベルコピー処理の場合と同様に、印刷設定情報
に複数部印刷設定情報が含まれているか否かを判断し、メディア印刷機能の実行指示に対
応付けてＲＡＭ１３に記憶されている印刷回数を１だけ増加する。複数部印刷設定情報が
含まれていると判断された場合（Ｓ７２４：ＹＥＳ）、ＣＰＵ１１は、レーベルコピー処
理の場合と同様に、印刷部数と印刷回数とに基づいて、設定された部数の印刷が完了した
か否かを判断する（Ｓ７２６）。印刷部数と印刷回数とが一致する場合（Ｓ７２６：ＹＥ
Ｓ）、ＣＰＵ１１は、ステップ処理をＳ７２８へ移行し、メディア印刷処理を終了する。
【０１２７】
したがって、メディア印刷機能に基づく印刷が実行される場合においても、印刷の失敗
による被記録媒体の無駄を低減することができる。
【０１２８】
（その他の変形例）
本実施形態では、本発明の画像形成装置としてＭＦＰ１０を例に挙げて説明した。しか
しながら本発明はこれに限定されるものではなく、例えば、レーベル印刷機能、ストレー
トパス印刷機能、または、普通紙印刷機能など、被記録媒体を支持する支持部を筐体から
突出させて印刷する印刷機能を有する装置であれば、種々の態様を採用することができる
。また、本発明の情報処理装置は、ＰＣ９０に限定されるものではなく、ＭＦＰ１０へ印
刷指示を送信可能な装置であれば、種々の態様を採用することができる。
【０１２９】
本実施形態では、メディアセンサ６５がキャリッジ６１の下面側における最後端付近に
配設されていたが、本発明はこれに限定されるものではなく、例えば、キャリッジ６１の
下面側における前後方向の中央部、または、キャリッジ６１の下面側における最前端付近
などに配設されていてもよい。
【０１３０】
本実施形態では、図５に示すＳ５１６及びＳ５１８において、ＣＰＵ１１は、挿入され
たディスクトレイ７１を、光ディスク媒体Ｄにおける第１搬送方向下流側端部から上流側
端部ＤＰまで搬送するために必要な所定の搬送量だけ搬送し、光ディスク媒体Ｄの第１搬
送方向上流側端部ＤＰがメディアセンサ６５により検出されたか否かに基づいて作動状態
であるか否かを判断していた。しかしながら、本発明はこれに限定されるものではなく、
種々の態様を採ることができる。例えば、図３に示すように、ディスクトレイ７１が所定
位置Ｓ２まで搬送された状態において、メディアセンサ６５に対向するディスクトレイ７
１上の位置に、メディアセンサ６５で検知可能なマークＭ（本発明の被検知部分に相当）
を有するディスクトレイ７１を採用してもよい。係る場合、そのマークＭがメディアセン
サ６５により検出されたか否かに基づいて作動状態であるか否かを判断すればよい。マー
クＭの位置は、図３に示す位置に限定されず、ディスクトレイ７１が所定位置Ｓ２まで搬
送された状態において、メディアセンサ６５で検知可能なディスクトレイ７１上の位置で
あれば、種々の形態を採用できる。
【０１３１】
本実施形態において、準備動作は、挿入されたディスクトレイ７１が搬送開始位置Ｓ１
から第１搬送方向に所定位置Ｓ２まで搬送される動作としていた。しかしながら、本発明
はこれに限定されるものではなく、例えば、準備動作として、挿入されたディスクトレイ
７１の第１搬送方向先端が搬送開始位置Ｓ１から第１搬送方向に所定位置Ｓ２まで搬送さ
れた後、所定位置Ｓ２から第２搬送方向に搬送開始位置Ｓ１まで搬送される動作としても
よい。例えば、上述のようなマークＭを有するディスクトレイ７１の場合であれば、この
ような準備動作を採ることにより、確実に作動状態であると判断してから光ディスク媒体
Ｄの装着を行うことができる。したがって、ユーザは、確実にレーベル印刷機能に基づく
印刷が可能な状態においてのみ光ディスク媒体Ｄの載置操作を行えばよいので、例えば、
不作動状態と判断された場合に予め載置しておいた光ディスク媒体Ｄを取り出す作業など
、ユーザの作業負荷の増大を防ぐことができる。
【０１３２】
本実施形態では、表示部５０に表示された「背面スペースを確保してください」などの
メッセージが確認されてＯＫボタン４１が押下された場合に、準備動作の実行許可を受け
付けていた（図５に示すＳ５１０及びＳ５１２参照）。しかしながら、本発明はこれに限
定されず、種々の態様を採用することができる。例えば、背面スペースを確保させる旨を
示すメッセージに加え、背面スペースの確保後にＯＫボタンを押下させる旨を示すメッセ
ージを一緒に表示部５０に表示させてもよい。また、メッセージが表示されているときに
ＯＫボタン４１を点滅または点灯させておいてもよい。また、メッセージを表示させず、
ＯＫボタン４１またはスタートボタンなど、準備動作の実行を指示するための操作ボタン
の押下を準備動作の実行許可として受け付けてもよい。また、ＯＫボタンの押下ではなく
、ユーザによりディスクトレイ７１が挿入された場合、すなわち、センサ６７によりディ
スクトレイ７１が挿入されたことが検知された場合に、準備動作の実行許可を受け付けて
もよい。係る場合、ディスクトレイ７１の挿入を検知するセンサ６７が、本発明の印刷指
示部に相当する。
【０１３３】
本実施形態では、「背面スペースを確保してください」などのメッセージはＭＦＰ１０
の表示部５０に表示されていた（図５に示すＳ５１０参照）。しかしながら、本発明はこ
れに限定されず、「背面スペースを確保してください」などの各種メッセージがＰＣ９０
の表示部９７に表示されてもよい。係る場合、表示部９７に表示させるメッセージなどの
データは、ＰＣ９０のＨＤＤ９４に記憶されているのが好適である。係る場合、図６に示
すＳ６０８において、ＰＣ９０のＣＰＵ９１は、ＨＤＤ９４から表示対象のデータを読み
出し、表示部９７に表示する。また、ＭＦＰ１０のＣＰＵ１１は、図５に示すＳ５０８及
びＳ５１０の処理をスキップする。
【０１３４】
本実施形態では、「背面スペースを確保してください」というメッセージが表示部５０
に表示され、ユーザにより背面スペースを確保したと判断された場合に、ユーザによりＯ
Ｋボタン４１が押下されていた。すなわち、ＣＰＵ１１は、図５に示すＳ５１２でＯＫボ
タン４１の押下を検出した場合に、背面スペースを確保するためのユーザによる準備作業
の完了通知を受け付けたと判断していた。しかしながら、本発明はこれに限定されず、種
々の形態を採用できる。例えば、「背面スペースを確保してください」というメッセージ
がＰＣ９０の表示部９７に表示される場合、ＯＫボタン４１と同等の意義を有するアイコ
ンなどをそのメッセージと一緒に表示させてもよい。メッセージが表示部９７に表示され
、ユーザにより背面スペースを確保したと判断された場合に、ユーザによりそのアイコン
の入力操作がなされるようにしてもよい。係る場合、図６に示すＳ６０８において、ＣＰ
Ｕ９１は、メッセージを表示部９７に表示した後、アイコンの入力を検出したか否かを判
断する。ＣＰＵ９１は、アイコンの入力を検出するまで処理を繰り返し、アイコンの入力
を検出した場合に、背面スペースを確保するためのユーザによる準備作業の完了通知を受
け付けたと判断する。そして、ＣＰＵ９１は、準備作業の完了を示す準備完了通知をＭＦ
Ｐ１０へ送信する。また、ＭＦＰ１０のＣＰＵ１１は、図５に示すＳ５０８及びＳ５１０
の処理をスキップし、Ｓ５１２において、準備完了通知をＰＣ９０から受信したか否かを
判断する。そして、ＣＰＵ１１は、受信したと判断した場合にステップ処理をＳ５１４へ
移行し、受信していないと判断した場合にステップ処理をＳ５２４へ移行する。
【０１３５】
本実施形態では、図６のＳ６１２において、状態フラグがオンである（Ｓ６０６：ＹＥ
Ｓ）、または、印刷許可を受信した（Ｓ６１０：ＹＥＳ）場合に、印刷データをＭＦＰ１
０へ送信していた。しかしながら、本発明はこれに限定されず、例えば、Ｓ６００におい
て、レーベル印刷指示と印刷データを一緒にＭＦＰ１０へ送信してもよい。係る場合、Ｍ
ＦＰ１０のＣＰＵ１１は、レーベル印刷指示と一緒に受信した印刷データをＲＡＭ１３に
記憶する。そして、ＰＣ９０のＣＰＵ９１は、図６に示すＳ６１２において、印刷の実行
を指示する印刷実行指示を送信する。ＭＦＰ１０のＣＰＵ１１は、図５に示すＳ５２４に
おいて、印刷実行指示を受信したか否かを判断し、印刷実行指示を受信したと判断された
場合に、ステップ処理をＳ５２６に移行して印刷を実行する。このように構成することに
より、ＭＦＰ１０が作動状態であると判断された場合に、ＣＰＵ１１が印刷実行指示を受
信するので、レーベル印刷機能に基づく印刷の失敗による光ディスク媒体Ｄの無駄を低減
できる。
【０１３６】
本実施形態では、本発明の状態情報として、作動状態であるか否かをオンまたはオフで
示す状態フラグを例に挙げて説明したが、作動状態であるか否かを示す情報であれば、種
々の態様を採用することができる。
【０１３７】
また、ＭＦＰ１０が状態フラグを記憶していなくてもよい。係る場合、レーベル印刷機
能に基づく印刷が複数部設定されたか否かに関わらず、図５に示すＳ５０８〜Ｓ５２６を
繰り返し、１部印刷を完了する毎に作動状態であるか否かを判断してから印刷を実行する
ため、レーベル印刷機能に基づく印刷の失敗による光ディスク媒体Ｄの無駄を確実に低減
することができる。
【０１３８】
本実施形態では、図６に示すＳ６００及びＳ６０２において、ＰＣ９０のＣＰＵ９１が
レーベル印刷指示をＭＦＰ１０へ送信した後に状態要求を送信しているが、レーベル印刷
指示と状態要求とを一緒にＭＦＰ１０へ送信してもよい。
【０１３９】
本実施形態では、ＰＣ９０のＲＡＭ９２に印刷完了通知回数が記憶され、図６に示すＳ
６１６及びＳ６１８において、複数部印刷が設定されているか否か、及び、設定された部
数の印刷が完了したか否かが判断されていた。しかしながら、本発明はこれに限定される
ものではなく、例えば、ＭＦＰ１０のＲＡＭ１３に印刷回数が記憶され、図５に示すＳ５
２６で印刷が実行された後にＲＡＭ１３に記憶されている印刷回数が更新されるように構
成する。レーベル印刷処理開始時に送信元ＰＣ９０から受信したレーベル印刷指示に含ま
れる印刷設定情報及びＲＡＭ１３に記憶されている印刷回数に基づいて、複数部印刷が設
定されているか否か、及び、設定された部数の印刷が完了したか否かが判断されてもよい
。
【０１４０】
図５及び図７のフローチャートにおいて、Ｓ５０２は本発明の状態要求受信手段、Ｓ５
０４は本発明の状態送信手段、Ｓ５０８は本発明の表示指示受信手段、Ｓ５１０及びＳ７
０４は本発明の表示手段、Ｓ５１２、Ｓ５１４、Ｓ７０６、及び、Ｓ７０８は本発明の実
行許可受付手段に相当する。また、Ｓ５１６及びＳ７１０は本発明の実行手段、Ｓ５１８
及びＳ７１２は本発明の判断手段及び位置判断手段、Ｓ５２０及びＳ７１４は本発明の生
成手段、Ｓ５２２及びＳ７１６は本発明の印刷許可出力手段、Ｓ５２４は本発明の印刷デ
ータ受信手段、Ｓ５２６及びＳ７２２は本発明の印刷手段に相当する。
【０１４１】
図６及び図７に示すフローチャートにおいて、Ｓ６００は本発明の印刷指示送信手段、
Ｓ６０２は本発明の状態要求送信手段、Ｓ６０４は本発明の状態受信手段、Ｓ６０６及び
Ｓ７０２は本発明の状態認識手段、Ｓ６０８は本発明の表示指示送信手段、Ｓ６１０は本
発明の印刷許可受信手段、Ｓ６１２は本発明の印刷データ送信手段に相当する。
【符号の説明】
【０１４２】
１                        画像形成システム
１０                      ＭＦＰ
１１、９１                ＣＰＵ
１２、９２                ＲＯＭ
１３、９３                ＲＡＭ
１４                      フラッシュメモリ
２０                      プリンタ部
２１                      開口部
２２                      給紙トレイ
２３                      排紙トレイ
２４                      搬送路
２６                      ケーシング
４０、９５                操作部
４１                      ＯＫボタン
５０、９７                表示部
６０                      記録ヘッド
６１                      キャリッジ
６３                      プラテン
６５                      メディアセンサ
７１                      ディスクトレイ
７３、７５                駆動ローラ
７６                      拍車ローラ
８０、９９                ネットワークＩ／Ｆ
９０                      ＰＣ
９４                      ＨＤＤ
１４０                    状態フラグメモリ
９４０                    プリンタドライバ
９４２                    印刷データメモリ
Ｄ                        光ディスク媒体
Ｓ１                      搬送開始位置
Ｓ２                      所定位置
【図１】
0005636802.tif 000002
【図２】
0005636802.tif 000003
【図３】
0005636802.tif 000004
【図４】
0005636802.tif 000005
【図５】
0005636802.tif 000006
【図６】
0005636802.tif 000007
【図７】
0005636802.tif 000008